(57)【要約】      （修正有）【課題】ワイヤレス通信の間にタイミング情報を送信および発見するための装置および方法が提供される。【解決手段】ユーザ装置（ＵＥ）において、ネットワークエンティティからの発見信号に関して、アンライセンス無線周波数スペクトルバンド上でモニタリングし５１０、ネットワークエンティティから、サブフレームの間に発見信号を受信し５２０、発見信号に基づいて、ネットワークエンティティの現在のサブフレーム位置を決定する５３０。ここにおいて、発見信号は、現在のサブフレーム位置に対応するタイミング情報を含む。【選択図】図５Ａ
2020145736.tif 000002
【特許請求の範囲】
【請求項１】
ワイヤレス通信の間にタイミング情報を発見するための方法であって、
ユーザ装置（ＵＥ）において、ネットワークエンティティからの発見信号に関して、アンライセンス無線周波数スペクトルバンド上でモニタリングすることと、
前記ネットワークエンティティから、サブフレームの間に、前記発見信号を受信することと、
前記発見信号に基づいて、前記ネットワークエンティティの現在のサブフレーム位置を決定することと、ここにおいて、前記発見信号は、前記現在のサブフレーム位置に対応するタイミング情報を含む、
を備える、方法。
【請求項２】
前記発見信号は、前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で受信される、請求項１に記載の方法。
【請求項３】
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、請求項２に記載の方法。
【請求項４】
前記ダウンリンク制御チャネルを復調することと、
前記ダウンリンク制御チャネルを復調することに応答して、前記サブフレーム内での前記ｅＳＩＢの位置を決定することと、
をさらに備える、請求項３に記載の方法。
【請求項５】
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、請求項２に記載の方法。
【請求項６】
前記発見信号は、プライマリ同期信号（ＰＳＳ）およびセカンダリ同期信号（ＳＳＳ）に対応する同期情報を含む、請求項１に記載の方法。
【請求項７】
前記ネットワークエンティティの前記現在のサブフレーム位置に基づいて、無線フレーム境界（ＲＦＢ）を決定することをさらに備える、請求項１に記載の方法。
【請求項８】
前記ネットワークエンティティの前記現在のサブフレーム位置に基づいて、発見ウィンドウおよび発見期間を決定することをさらに備える、請求項１に記載の方法。
【請求項９】
前記発見ウィンドウのサイズおよび前記発見期間のサイズは、事前構成される、請求項８に記載の方法。
【請求項１０】
前記発見信号は、前記発見ウィンドウの間に、非周期的な日和見的な信号として受信される、請求項８に記載の方法。
【請求項１１】
ワイヤレス通信の間にタイミング情報を発見するための装置であって、
データを記憶するように構成されるメモリと、
前記メモリと通信的に結合された１つまたは複数のプロセッサと、
を備え、ここにおいて、前記１つまたは複数のプロセッサおよび前記メモリは、
ユーザ装置（ＵＥ）において、ネットワークエンティティからの発見信号に関して、アンライセンス無線周波数スペクトルバンド上でモニタリングすることと、
前記ネットワークエンティティから、サブフレームの間に、前記発見信号を受信することと、
前記発見信号に基づいて、前記ネットワークエンティティの現在のサブフレーム位置を決定することと、ここにおいて、前記発見信号は、前記現在のサブフレーム位置に対応するタイミング情報を含む、
を行うように構成される、装置。
【請求項１２】
前記発見信号は、前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で受信される、請求項１１に記載の装置。
【請求項１３】
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、請求項１２に記載の装置。
【請求項１４】
前記１つまたは複数のプロセッサおよび前記メモリは、
前記ダウンリンク制御チャネルを復調することと、
前記ダウンリンク制御チャネルを復調することに応答して、前記サブフレーム内での前記ｅＳＩＢの位置を決定することと、
を行うようにさらに構成される、請求項１３に記載の装置。
【請求項１５】
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、請求項１２に記載の装置。
【請求項１６】
前記発見信号は、プライマリ同期信号（ＰＳＳ）およびセカンダリ同期信号（ＳＳＳ）に対応する同期情報を含む、請求項１１に記載の装置。
【請求項１７】
前記１つまたは複数のプロセッサおよび前記メモリは、前記ネットワークエンティティの前記現在のサブフレーム位置に基づいて、無線フレーム境界（ＲＦＢ）を決定するようにさらに構成される、請求項１１に記載の装置。
【請求項１８】
前記１つまたは複数のプロセッサおよび前記メモリは、前記ネットワークエンティティの前記現在のサブフレーム位置に基づいて、発見ウィンドウおよび発見期間を決定するように構成さらにされる、請求項１１に記載の装置。
【請求項１９】
前記発見ウィンドウのサイズおよび前記発見期間のサイズは、事前構成される、請求項１８に記載の装置。
【請求項２０】
前記発見信号は、前記発見ウィンドウの間に、非周期的な日和見的な信号として受信される、請求項１８に記載の装置。
【請求項２１】
ワイヤレス通信の間にタイミング情報を発見するための装置であって、
ユーザ装置（ＵＥ）において、ネットワークエンティティからの発見信号に関して、アンライセンス無線周波数スペクトルバンド上でモニタリングするための手段と、
前記ネットワークエンティティから、サブフレームの間に、前記発見信号を受信するための手段と、
前記発見信号に基づいて、前記ネットワークエンティティの現在のサブフレーム位置を決定するための手段と、ここにおいて、前記発見信号は、前記現在のサブフレーム位置に対応するタイミング情報を含む、
を備える、装置。
【請求項２２】
前記発見信号は、前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で受信される、請求項２１に記載の装置。
【請求項２３】
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、請求項２２に記載の装置。
【請求項２４】
前記ダウンリンク制御チャネルを復調するための手段と、
前記ダウンリンク制御チャネルを復調することに応答して、前記サブフレーム内での前記ｅＳＩＢの位置を決定するための手段と、
をさらに備える、請求項２３に記載の装置。
【請求項２５】
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、請求項２２に記載の装置。
【請求項２６】
ワイヤレス通信の間にタイミング情報を発見するためのコンピュータ実行可能なコードを記憶するコンピュータ読み取り可能な媒体であって、
ユーザ装置（ＵＥ）において、ネットワークエンティティからの発見信号に関して、アンライセンス無線周波数スペクトルバンド上でモニタリングするためのコードと、
前記ネットワークエンティティから、サブフレームの間に、前記発見信号を受信するためのコードと、
前記発見信号に基づいて、前記ネットワークエンティティの現在のサブフレーム位置を決定するためのコードと、ここにおいて、前記発見信号は、前記現在のサブフレーム位置に対応するタイミング情報を含む、
を備える、コンピュータ読み取り可能な媒体。
【請求項２７】
前記発見信号は、前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で受信される、請求項２６に記載のコンピュータ読み取り可能な媒体。
【請求項２８】
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、請求項２７に記載のコンピュータ読み取り可能な媒体。
【請求項２９】
前記ダウンリンク制御チャネルを復調するためのコードと、
前記ダウンリンク制御チャネルを復調することに応答して、前記サブフレーム内での前記ｅＳＩＢの位置を決定するためのコードと、
をさらに備える、請求項２８に記載のコンピュータ読み取り可能な媒体。
【請求項３０】
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、請求項２７に記載のコンピュータ読み取り可能な媒体。
【発明の詳細な説明】
【優先権の主張】
【０００１】
[0001]  本特許出願は、「TIMING INFORMATION FOR DISCOVERY IN UNLICENSED SPECTRUM」と題され２０１５年１月２９日に出願された、米国仮出願第６２／１０９，５０４号、および「TIMING INFORMATION FOR DISCOVERY IN UNLICENSED SPECTRUM」と題され２０１６年１月２８日に出願された、米国特許出願第１５／００９，７３０号に対して優先権を主張し、両出願は、本願の譲受人に譲渡され、および両出願は、参照によって全体がここに明示的に組み込まれる。
【技術分野】
【０００２】
［背景技術］
[0002]  本開示の態様は、一般に電気通信に関し、より具体的には、アンライセンス（unlicensed）無線周波数スペクトルバンド上で同期信号を送信および受信するための技法に関する。
【０００３】
[0003]  ワイヤレス通信ネットワークは、ネットワークのカバレッジエリア内のユーザに、様々なタイプのサービス（例えば、音声、データ、マルチメディアサービス等）を提供するために展開され得る。いくつかのインプリメンテーションでは、（例えば、異なる複数のセルに対応する）１つまたは複数のアクセスポイントは、（１つまたは複数の）アクセスポイントのカバレッジ内で動作しているアクセス端末（例えば、セルフォン）にワイヤレス接続性を提供する。いくつかのインプリメンテーションでは、ピアデバイスは、互いに通信するために接続的にワイヤレスを提供する。
【０００４】
[0004]  ワイヤレス通信ネットワークにおけるデバイス間の通信は、干渉にさらされ得る。第１のネットワークデバイスからの第２のネットワークデバイスへの通信に関して、隣接するデバイスによる無線周波数（ＲＦ）エネルギの放出は、第２のネットワークデバイスにおける信号の受信と干渉し得る。例えば、Ｗｉ−Ｆｉデバイスによっても使用されているアンライセンスＲＦバンドにおいて動作しているロングタームエボリューション（ＬＴＥ（登録商標））デバイスは、Ｗｉ−Ｆｉデバイスからの著しい干渉を経験し得る、および／または、著しい干渉をＷｉ−Ｆｉデバイスに引き起こす可能性がある。
【０００５】
[0005]  通信のいくつかのモードが、セルラネットワークのアンライセンス無線周波数スペクトルバンド上の、または異なる無線周波数スペクトルバンド（例えば、ライセンス（licensed）無線周波数スペクトルバンドおよび／またはアンライセンス無線周波数スペクトルバンド）上の、基地局とユーザ装置（ＵＥ）との間の通信を可能にし得る。ライセンス無線周波数スペクトルバンドを使用するセルラネットワークにおけるデータトラフィックが増加しているので、アンライセンス無線周波数スペクトルバンドへの少なくともいくらかのデータトラフィックのオフローディングは、向上されたデータ送信容量のための機会をセルラオペレータに提供し得る。アンライセンス無線周波数スペクトルバンドはまた、ライセンス無線周波数スペクトルバンドへのアクセスが利用不可能なエリアにおいて、サービスを提供し得る。
【０００６】
[0006]  いくつかのワイヤレスネットワークでは、ある特定の送信プロシージャは、アンライセンス周波数スペクトルバンド上では許可（permit）されていない可能性がある。したがって、ＵＥは、ネットワークエンティティおよび／またはセルに関する同期情報を適切に受信および決定することができない可能性がある。その結果、ＵＥは、ネットワークエンティティおよび／またはセルに適切に接続することができない可能性がある。したがって、発見および同期プロシージャの改善が望まれ得る。
【発明の概要】
【０００７】
[0007]  以下は、１つまたは複数の態様の基本的な理解を提供するために、そのような態様の簡略化された概要を提示する。この概要は、すべての考慮された態様の広範な概観ではなく、そして、すべての態様の主要または重要な要素を特定するようにも、任意またはすべての態様の範囲を詳細に叙述するようにも、意図されていない。その唯一の目的は、後に提示されるより詳細な説明への前置きとして、簡略化された形式で１つまたは複数の態様のうちのいくつかの概念を提示することである。
【０００８】
[0008]  一態様によると、本方法は、ワイヤレス通信の間にタイミング情報を発見することに関する。説明される態様は、ユーザ装置（ＵＥ）において、ネットワークエンティティからの発見信号（discovery signal）に関して、アンライセンス無線周波数スペクトルバンド上でモニタリングすることを含む。説明される態様はさらに、ネットワークエンティティから、サブフレームの間に、発見信号を受信することを含む。説明される態様はさらに、発見信号に基づいて、ネットワークエンティティの現在のサブフレーム位置を決定することを含み、ここにおいて、発見信号は、現在のサブフレーム位置に対応するタイミング情報を含む。
【０００９】
[0009]  別の態様では、コンピュータ実行可能なコードを記憶する本コンピュータ読み取り可能な媒体は、ワイヤレス通信の間にタイミング情報を発見することに関する。説明される態様はさらに、ＵＥにおいて、ネットワークエンティティからの発見信号に関して、アンライセンス無線周波数スペクトルバンド上でモニタリングするためのコードを含む。説明される態様はさらに、ネットワークエンティティから、サブフレームの間に、発見信号を受信するためのコードを含む。説明される態様はさらに、発見信号に基づいて、ネットワークエンティティの現在のサブフレーム位置を決定するためのコードを含み、ここにおいて、発見信号は、現在のサブフレーム位置に対応するタイミング情報を含む。
【００１０】
[0010]  さらなる態様では、本装置は、ワイヤレス通信の間にタイミング情報を発見することに関する。説明される態様は、ＵＥにおいて、ネットワークエンティティからの発見信号に関して、アンライセンス無線周波数スペクトルバンド上でモニタリングするための手段を含む。説明される態様はさらに、ネットワークエンティティから、サブフレームの間に、発見信号を受信するための手段を含む。説明される態様はさらに、発見信号に基づいて、ネットワークエンティティの現在のサブフレーム位置を決定するための手段を含み、ここにおいて、発見信号は、現在のサブフレーム位置に対応するタイミング情報を含む。
【００１１】
[0011]  追加的な態様では、本装置は、ワイヤレス通信の間にタイミング情報を発見することに関する。説明される態様は、データを記憶するように構成されるメモリと、メモリに通信的に結合された１つまたは複数のプロセッサとを含み、ここにおいて、１つまたは複数のプロセッサおよびメモリは、ＵＥにおいて、ネットワークエンティティからの発見信号に関して、アンライセンス無線周波数スペクトルバンド上でモニタリングするように構成される。説明される態様はさらに、ネットワークエンティティから、サブフレームの間に、発見信号を受信する。説明される態様はさらに、発見信号に基づいて、ネットワークエンティティの現在のサブフレーム位置を決定し、ここにおいて、発見信号は、現在のサブフレーム位置に対応するタイミング情報を含む。
【００１２】
[0012]  別の態様では、本方法は、ワイヤレス通信の間にタイミング情報を送信することに関する。説明される態様は、ネットワークエンティティにおいて、発見信号に関するタイミング情報を確立（establishing）することを含み、ここにおいて、タイミング情報は、ネットワークエンティティの現在のサブフレーム位置に対応する。説明される態様はさらに、アンライセンス無線周波数スペクトルバンド上で、サブフレームの間に、ＵＥに、発見信号を送信することを含む。
【００１３】
[0013]  さらなる態様では、コンピュータ実行可能なコードを記憶する本コンピュータ読み取り可能な媒体は、ワイヤレス通信の間にタイミング情報を送信することに関する。説明される態様は、ネットワークエンティティにおいて、発見信号に関するタイミング情報を確立するためのコードを含み、ここにおいて、タイミング情報は、ネットワークエンティティの現在のサブフレーム位置に対応する。説明される態様はさらに、アンライセンス無線周波数スペクトルバンド上で、サブフレームの間に、ＵＥに、発見信号を送信するためのコードを含む。
【００１４】
[0014]  別の態様では、本装置は、ワイヤレス通信の間にタイミング情報を送信することに関する。説明される態様は、ネットワークエンティティにおいて、発見信号に関するタイミング情報を確立するための手段を含み、ここにおいて、タイミング情報は、ネットワークエンティティの現在のサブフレーム位置に対応する。説明される態様はさらに、アンライセンス無線周波数スペクトルバンド上で、サブフレームの間に、ＵＥに、発見信号を送信するための手段を含む。
【００１５】
[0015]  追加的な態様では、本装置は、ワイヤレス通信の間にタイミング情報を送信することに関する。説明される態様は、データを記憶するように構成されるメモリと、メモリに通信的に結合された１つまたは複数のプロセッサとを含み、ここにおいて、１つまたは複数のプロセッサおよびメモリは、ネットワークエンティティにおいて、発見信号に関するタイミング情報を確立するように構成され、ここにおいて、タイミング情報は、ネットワークエンティティの現在のサブフレーム位置に対応する。説明される態様はさらに、アンライセンス無線周波数スペクトルバンド上で、サブフレームの間に、ＵＥに、発見信号を送信することを含む。
【００１６】
[0016]  本開示の様々な態様および特徴は、添付の図面に示されるように、それらの様々な例を参照して以下にさらに詳細に説明される。本開示は、以下で様々な例を参照して説明されるが、本開示はそれらに限定されないことは理解されるべきである。本明細書における教示を入手できる当業者は、追加的なインプリメンテーション、修正、および例、ならびに他の使用分野を認識することとなり、それらはここに説明される本開示の範囲内にあり、それらに関して、本開示は、著しく有益であり得る。
【００１７】
[0017]  本発明の特性および利点のさらなる理解は、以下の図面を参照することによって実現され得る。添付の図面では、同様のコンポーネントまたは特徴は、同じ参照ラベルを有し得る。さらに、同じタイプの様々なコンポーネントは、参照ラベルの後に同様のコンポーネント同士を区別する第２のラベルを続けることによって区別され得る。明細書において第１の参照ラベルが使用される場合、その説明は、第２の参照ラベルに関係なく、同じ第１の参照ラベルを有する同様のコンポーネントのうちのいずれのものにも適用可能である。
【図面の簡単な説明】
【００１８】
【図１】[0018]  図１は、同一場所に配置された無線機（co-located radios）を用いる通信システムのいくつかの態様の例を例示するブロック図である。
【図２】[0019]  図２は、ＬＴＥで使用されるダウンリンクフレーム構造を示す。
【図３】[0020]  図３は、キャリア感知適応送信（ＣＳＡＴ）時分割多重（ＴＤＭ）デューティーサイクリング（carrier sense adaptive transmission (CSAT) time division multiplexing (TDM) duty cycling）の例を例示する図である。
【図４】[0021]  図４は、ワイヤレス通信の間にタイミング情報を送信および発見する態様を含む通信ネットワークの例を例示する概略図である。
【図５Ａ】[0022]  図５Ａは、ワイヤレス通信の間にタイミング情報を発見する例示的な方法を例示するフローダイアグラムである。
【図５Ｂ】図５Ｂは、ワイヤレス通信の間にタイミング情報を発見する例示的な方法を例示するフローダイアグラムである。
【図６】[0023]  図６は、ワイヤレス通信の間にタイミング情報を送信する別の例示的な方法を例示するフローダイアグラムである。
【図７】[0024]  図７は、ＵＥとネットワークエンティティとの間の発見プロシージャの例を例示する概念図である。
【図８】[0025]  図８は、通信ノードにおいて用いられ得るコンポーネントのいくつかのサンプルの態様の簡略化されたブロック図である。
【図９】[0026]  図９は、ワイヤレス通信システムの簡略化された図である。
【図１０】[0027]  図１０は、スモールセルを含むワイヤレス通信システムの簡略化された図である。
【図１１】[0028]  図１１は、ワイヤレス通信のためのカバレッジエリアを例示する簡略化された図である。
【図１２】[0029]  図１２は、通信コンポーネントのいくつかのサンプルの態様の簡略化されたブロック図である。
【詳細な説明】
【００１９】
[0030]  本態様は、一般に、ワイヤレス通信の間にタイミング情報を送信および発見することに関する。例えば、アンライセンス無線周波数スペクトルバンドへのアクセスを得ること、およびアンライセンス無線周波数スペクトルバンド上で通信することに先立って、基地局またはＵＥは、アンライセンス無線周波数スペクトルバンドへのアクセスを求めて争う（contend for）ために、リッスンビフォアトーク（ＬＢＴ：listen before talk）プロシージャを実施し得る。ＬＢＴプロシージャは、アンライセンス無線周波数スペクトルバンドのチャネルが利用可能かどうかを決定するために、クリアチャネルアセスメント（ＣＣＡ：clear channel assessment）プロシージャを実施することを含み得る。ＣＣＡプロシージャは、２つの関連する機能、キャリア感知（ＣＳ：carrier sense）およびエネルギ検出（ＥＤ：energy detection）から成る。キャリア感知は、到来する（incoming）Ｗｉ−Ｆｉ信号プリアンブルを検出および復号するための受信機の能力を指す。エネルギ検出（ＥＤ）は、ノイズフロア、周囲のエネルギ、干渉源、および、破損している可能性があり復号されることができなくなった特定不可能な（unidentifiable）Ｗｉ−Ｆｉ送信に基づく現在のチャネル（周波数範囲）上に存在（present on）する非Ｗｉ−Ｆｉのエネルギのレベルを検出するための受信機の能力を指す。媒体が現在のフレームに使われる（busy with）ことになる時間の正確な長さを決定することができるキャリア感知とは違い、エネルギ検出は、エネルギが依然として存在するかどうかを決定するためにスロット時間ごとに媒体をサンプリングしなければならない。アンライセンス無線周波数スペクトルバンドのチャネルが利用可能でない（例えば、別の装置が既にアンライセンス無線周波数スペクトルバンドのチャネルを使用しているせいで）と決定されるとき、ＣＣＡプロシージャは、しばらくたってから再びそのチャネルに対して実施され得る。
【００２０】
[0031]  ＵＥが基地局と通信し得る前に、ＵＥは、基地局（またはセル）を発見または獲得（acquire）する必要があり得る。ＵＥが基地局またはセルを発見した後、ＵＥは、適切に基地局と通信するおよび基地局からの通信を復号するために、基地局またはセルと周期的に同期する必要があり得る。いくつかの例では、基地局は、同期信号を送信し得、そしてＵＥは、基地局（またはセル）を発見するおよび／または基地局と（またはセルと）同期するために、同期信号を受信および復号し得る。アンライセンススペクトルを有するネットワークにおけるアンライセンスキャリア上へのほとんどの送信は、最初にＬＢＴプロトコルに従った（complying with）後に、送信機によって成される。しかしながら、ある特定の送信は、最初にクリアチャネルをチェックすることなく成される。ＣＣＡ免除送信（ＣＥＴ：CCA-exempt transmissions）は、ダウンリンクおよびアップリンク通信の両方で発生する。一態様では、ネットワークは、ＣＥＴを禁止し得る、および／またはＣＥＴにおいて送信される発見信号は、干渉が原因で復号可能でない可能性がある。その結果、タイミング情報がＵＥに知られない可能性があり、よってＵＥは、ネットワークと適切に接続することができない可能性がある。
【００２１】
[0032]  したがって、いくつかの態様では、本方法および装置は、アンライセンス周波数スペクトルバンド上で、ワイヤレス通信の間にタイミング情報を送信および発見することによって、現在の解決策に比べて効率的な解決策を提供し得る。ネットワークがＣＥＴを禁止し得るおよび／またはＣＥＴにおいて送信される発見信号が干渉が原因で復号可能でない可能性がある事例では、本方法および装置は、タイミング情報が、ＣＥＴの代わりに、発見信号の一部として送信され得ることを提供する。したがって、タイミング情報は、発見信号が存在する現在のサブフレーム位置をＵＥが決定することを可能にし、それは今度は、ＵＥに、発見ウィンドウ、発見期間、および無線フレーム境界を決定させる。
【００２２】
[0033]  本開示の態様は、特定の開示される態様を対象とする以下の説明および関連する図において提供される。代替の態様が、本開示の範囲から逸脱することなく考案され得る。さらに、本開示の周知の態様は、より関連性のある詳細を曖昧にしないために、詳細には説明されない可能性があるか、または省略され得る。さらに、多くの態様は、例えば、コンピューティングデバイスの要素によって実施されることになる一連のアクションの観点から説明されている。ここに説明される様々なアクションは、特定の回路（例えば、特定用途向け集積回路（ＡＳＩＣ））によって、１つまたは複数のプロセッサによって実行されるプログラム命令によって、またはその両方の組合せによって、実施されることができることが、認識されることとなる。さらに、ここに説明されるこれらの一連のアクションは、実行されると、関連するプロセッサに、ここに説明された機能性を実施させるコンピュータ命令の対応するセットを記憶した、任意の形態のコンピュータ読み取り可能な記憶媒体内に、全体が具現化されると考えられることができる。したがって、本開示の様々な態様は、いくつかの異なる形態で具現化され得、それらのすべては、特許請求された主題事項の範囲内にあるものとして考慮されている。加えて、ここに説明される態様の各々に関して、対応する形態の任意のそのような態様は、例えば、説明されるアクションを実施「するように構成される論理」としてここに説明され得る。
【００２３】
[0034]  図１は、アクセス端末がサブフレームコンポーネント４２０（図４）を含み得る、およびアクセスポイントが対応するサブフレームコンポーネント４６０（図４）を含み得る、（例えば、通信ネットワークの一部のような）サンプルの通信システム１００のいくつかのノードを例示し、ここにおいて、それぞれのサブフレームコンポーネントは、アクセス端末がアンライセンス無線周波数スペクトルバンドにおいてスタンドアロンモードで動作しているとき、アクセス端末がアクセスポイントを発見するおよび／またはアクセスポイントと同期することを可能にするように動作する。サブフレームコンポーネント４２０およびサブフレームコンポーネント４６０の動作の詳細は、図４〜図８に関して以下で説明される。例示の目的のために、本開示の様々な態様は、互いに通信する１つまたは複数のアクセス端末、アクセスポイント、およびネットワークエンティティの文脈で説明されることになる。しかしながら、本明細書における教示は、他の用語を使用して参照される他の同様の装置または他のタイプの装置に適用可能であり得ることは認識されるべきである。例えば、様々なインプリメンテーションにおいて、アクセスポイントは、基地局、ノードＢ、ｅノードＢ、ホームノードＢ、ホームｅノードＢ、スモールセル、マクロセル、フェムトセル等と呼ばれ得るかまたはそれらとしてインプリメントされ得、一方でアクセス端末は、ユーザ装置（ＵＥ）、モバイル局等と呼ばれ得るかまたはそれらとしてインプリメントされ得る。
【００２４】
[0035]  サブフレームコンポーネント４２０（図４）を含むネットワークエンティティ４０４に対応し得る、システム１００におけるアクセスポイントは、システム１００のカバレッジエリアを動き回り得る（roam throughout）またはカバレッジエリア内にインストール（installed）され得る１つまたは複数のワイヤレス端末（例えば、アクセス端末１０２またはアクセス端末１０４）に、１つまたは複数のサービスへのアクセス（例えば、ネットワーク接続性）を提供する。例えば、様々な時点で、アクセス端末１０２は、システム１００におけるアクセスポイント１０６または何らかの他のアクセスポイント（示されていない）に接続し得る。同様に、アクセス端末１０４は、アクセスポイント１０８または何らかの他のアクセスポイントに接続し得る。
【００２５】
[0036]  アクセスポイントのうちの１つまたは複数は、ワイドエリアネットワーク接続性を容易にするために、互いを含めた１つまたは複数のネットワークエンティティ（便宜上、ネットワークエンティティ１１０で表される）と通信し得る。そのようなネットワークエンティティの２つ以上は、同一場所に配置され得る、および／またはそのようなネットワークエンティティの２つ以上は、ネットワーク中に分配され（distributed throughout）得る。
【００２６】
[0037]  ネットワークエンティティは、例えば、１つまたは複数の無線機および／またはコアネットワークエンティティのような様々な形態をとり得る。したがって、様々なインプリメンテーションにおいて、ネットワークエンティティ１１０は、ネットワーク管理（例えば、動作、アドミニストレーション、管理、およびプロビジョニングエンティティによる）、呼制御、セッション管理、モビリティ管理、ゲートウェイ機能、相互作用機能、または何らかの他の適切なネットワーク機能性のうちの少なくとも１つのような機能性を表し得る。いくつかの態様では、モビリティ管理は、トラッキングエリア、位置エリア、ルーティングエリア、または何らかの他の適切な技法の使用を通じてアクセス端末の現在の位置を追跡（keeping track of）することと、アクセス端末に関する呼出しを制御することと、アクセス端末に関するアクセス制御を提供することとに関する。
【００２７】
[0038]  アクセスポイント１０６（またはシステム１００における任意の他のデバイス）が所与のリソースで通信するために第１のＲＡＴを使用するとき、この通信は、そのリソースで通信するために第２のＲＡＴを使用する隣接するデバイス（例えば、アクセスポイント１０８および／またはアクセス端末１０４）からの干渉にさらされ得る。例えば、特定のアンライセンスＲＦバンド上でのＬＴＥを介したアクセスポイント１０６による通信は、そのバンド上で動作するＷｉ−Ｆｉデバイスからの干渉にさらされ得る。便宜上、アンライセンスＲＦバンド上のＬＴＥは、ここにおいて、アンライセンススペクトルにおけるＬＴＥ／ＬＴＥアドバンスト（LTE（登録商標）/LTE Advanced in unlicensed spectrum）、または周辺のコンテキスト(surrounding context)において単にＬＴＥと称され得る。また、アンライセンススペクトルにおけるＬＴＥ／ＬＴＥアドバンストを提供、適応、または拡張するネットワークまたはデバイスは、コンテンションベースの無線周波数バンドまたはスペクトルにおいて動作するように構成されるネットワークまたはデバイスを指し得る。
【００２８】
[0039]  いくつかのシステムでは、アンライセンススペクトルにおけるＬＴＥは、すべてのキャリアが排他的にワイヤレススペクトルのアンライセンス部分において動作する状態で、スタンドアロン構成において用いられ得る（例えば、ＬＴＥスタンドアロン）。他のシステムでは、アンライセンススペクトルにおけるＬＴＥは、ワイヤレススペクトルのライセンス部分において動作するアンカーライセンスキャリアと併せてワイヤレススペクトルのアンライセンス部分において動作する１つまたは複数のアンライセンスキャリアを提供することによって、ライセンスバンド動作に対して補完的である方法で用いられ得る（例えば、ＬＴＥ補完ダウンリンク（ＳＤＬ：Supplemental DownLink））。いずれの場合も、キャリアアグリゲーションは、１つのキャリアが、対応するＵＥのためのプライマリセル（Ｐセル）としての機能を果たし（例えば、ＬＴＥ  ＳＤＬにおけるアンカーライセンスキャリアまたはＬＴＥスタンドアロンにおけるアンライセンスキャリアのうちの指定された１つ）、残りのキャリアが、それぞれのセカンダリセル（Ｓセル）としての役割を果たす状態で、異なるコンポーネントキャリアを管理するために用いられ得る。このような方法で、Ｐセルは、ＦＤＤのペアのダウンリンクおよびアップリンク（an FDD paired downlink and uplink）（ライセンスまたはアンライセンス）を提供し得、および各Ｓセルは、望まれる追加的なダウンリンク容量を提供し得る。
【００２９】
[0040]  一般に、ＬＴＥは、ダウンリンク上では直交周波数分割多重（ＯＦＤＭ）を、アップリンク上では単一キャリア周波数分割多重（ＳＣ−ＦＤＭ）を利用する。ＯＦＤＭおよびＳＣ−ＦＤＭは、システムバンド幅を複数の（Ｋ個の）直交サブキャリアに区分し、それらはまた一般にトーン、ビン等とも称される。各サブキャリアは、データで変調され得る。一般に、変調シンボルは、周波数領域ではＯＦＤＭで送られ、時間領域ではＳＣ−ＦＤＭで送られる。隣接した複数のサブキャリア間の間隔（spacing）は、固定的なものであり得、およびサブキャリアの総数（Ｋ）は、システムバンド幅に依存し得る。例えば、Ｋは、１．２５、２．５、５、１０または２０メガヘルツ（ＭＨｚ）のシステムバンド幅に関してそれぞれ１２８、２５６、５１２、１０２４または２０４８に等しい可能性がある。システムバンド幅はまた、サブバンドに区分され得る。例えば、サブバンドは、１．０８ＭＨｚをカバーし得、１．２５、２．５、５、１０または２０ＭＨｚのシステムバンド幅に関してそれぞれ１、２、４、８または１６個のサブバンドがあり得る。
【００３０】
[0041]  図２は、ＬＴＥで使用されるダウンリンクフレーム構造２００を示し、それは、サブフレームコンポーネント４６０（図４）からサブフレームコンポーネント４２０（図４）へ通信を送ることにおいて使用され得る。ダウンリンクに関する送信タイムラインは、無線フレーム２０２、２０４、２０６のユニットに区分され得る。各無線フレームは、所定の持続時間（例えば、１０ミリ秒（ｍｓ））を有し得、それは、０〜９のインデックスを有する１０個のサブフレーム２０８に区分され得る。各サブフレームは、２つのスロット、例えば、スロット２１０を含み得る。各無線フレームはよって、０〜１９のインデックスを有する２０個のスロットを含み得る。各スロットは、Ｌ個のシンボル期間、例えば、通常のサイクリックプリフィックス（ＣＰ）の場合には図２に示されるように７つのシンボル期間２１２を、または拡張されたサイクリックプリフィックスの場合には６つのシンボル期間を含み得る。通常のＣＰおよび拡張されたＣＰは、ここにおいて、異なるＣＰタイプとも称され得る。各サブフレームにおける２Ｌ個のシンボル期間は、０〜２Ｌ−１のインデックスを割り当てられ得る。利用可能な時間周波数リソースは、複数のリソースブロックに区分され得る。各リソースブロックは、１つのスロットにおいてＮ個のサブキャリア（例えば、１２個のサブキャリア）をカバーし得る。
【００３１】
[0042]  ＬＴＥにおいて、サブフレームコンポーネント４２０（図４）を含むネットワークエンティティ４０４に対応し得るアクセスポイント（ｅＮＢと称される）は、ｅＮＢにおける各セルに関するプライマリ同期信号（ＰＳＳ）およびセカンダリ同期信号（ＳＳＳ）を送り得る。プライマリおよびセカンダリ同期信号は、通常のサイクリックプリフィックスについては、図２に示されるように、各無線フレームのサブフレーム０および５の各々において、それぞれシンボル期間６および５において送られ得る。同期信号は、セルの検出および獲得（acquisition）のために、アクセス端末（ＵＥと称される）によって使用され得る。ｅＮＢは、サブフレーム０のスロット１におけるシンボル期間０〜３において、物理ブロードキャストチャネル（ＰＢＣＨ）を送り得る。ＰＢＣＨは、ある特定のシステム情報を搬送し得る。
【００３２】
[0043]  ｅＮＢは、ｅＮＢにおける各セルに関するセル固有の基準信号（ＣＲＳ）を送り得る。ＣＲＳは、通常のサイクリックプリフィックスのケースでは各スロットのシンボル０、１、および４において、そして拡張されたサイクリックプリフィックスのケースでは、各スロットのシンボル０、１、および３において送られ得る。ＣＲＳは、ＵＥによって、物理チャネルのコヒーレント復調、タイミングおよび周波数トラッキング、無線リンクモニタリング（ＲＬＭ：Radio Link Monitoring）、基準信号受信電力（ＲＳＲＰ：Reference Signal Received Power）、および基準信号受信品質（ＲＳＲＱ：Reference Signal Received Quality）測定等のために使用され得る。
【００３３】
[0044]  図２には、第１のシンボル期間全体において表されているが、ｅＮＢは、各サブフレームの第１のシンボル期間の一部のみにおいて、物理制御フォーマットインジケータチャネル（ＰＣＦＩＣＨ）を送り得る。ＰＣＦＩＣＨは、制御チャネルのために使用されるシンボル期間の数（Ｍ）を伝え（convey）得、ここでＭは１、２または３に等しい可能性があり、サブフレームごとに変化し得る。Ｍはまた、例えば１０個より少ないリソースブロックを伴う、小さなシステムバンド幅に関しては、４に等しい可能性がある。図２に示される例では、Ｍ＝３である。ｅＮＢは、各サブフレームの最初のＭ個のシンボル期間（図２ではＭ＝３）において物理ダウンリンク制御チャネル（ＰＤＣＣＨ）および物理ＨＡＲＱインジケータチャネル（ＰＨＩＣＨ）を送り得る。ＰＨＩＣＨは、ハイブリッド自動再送（ＨＡＲＱ）をサポートするための情報を搬送し得る。ＰＤＣＣＨは、ダウンリンクチャネルに関する制御情報およびＵＥのためのリソース割り振りについての情報を搬送し得る。図２における第１のシンボル期間には示されていないが、ＰＤＣＣＨおよびＰＨＩＣＨはまた、第１のシンボル期間にも含まれ得ることは理解される。同様に、ＰＨＩＣＨおよびＰＤＣＣＨはまた、図２にはそのように示されてはいないが、両方とも第２のおよび第３のシンボル期間にあり得る。ｅＮＢは、物理ダウンリンク共有チャネル（ＰＤＳＣＨ）を、各サブフレームの残りのシンボル期間において送り得る。ＰＤＳＣＨは、ダウンリンク上でのデータ送信に関してスケジュールされたＵＥに関するデータを搬送し得る。ＬＴＥにおける様々な信号およびチャネルは、公に利用可能な、「Evolved Universal Terrestrial Radio Access (E-UTRA); Physical Channels and Modulation」と題された３ＧＰＰ（登録商標）  ＴＳ３６．２１１に説明されている。
【００３４】
[0045]  ｅＮＢは、ｅＮＢによって使用されるシステムバンド幅の中心１．０８ＭＨｚにおいてＰＳＳ、ＳＳＳおよびＰＢＣＨを送り得る。ｅＮＢは、ＰＣＦＩＣＨおよびＰＨＩＣＨを、これらのチャネルが送られる各シンボル期間においてシステムバンド幅全体にわたって送り得る。ｅＮＢは、ＰＤＣＣＨを、システムバンド幅のある特定の部分において、ＵＥのグループに送り得る。ｅＮＢは、ＰＤＳＣＨを、システムバンド幅の特定の部分において、特定のＵＥに送り得る。ｅＮＢは、ＰＳＳ、ＳＳＳ、ＰＢＣＨ、ＰＣＦＩＣＨおよびＰＨＩＣＨを、ブロードキャスト方式で（in a broadcast manner）すべてのＵＥに送り得、ＰＤＣＣＨをユニキャスト方式で（in a unicast manner）特定のＵＥに送り得、また、ＰＤＳＣＨをユニキャスト方式で特定のＵＥに送り得る。
【００３５】
[0046]  いくつかのリソース要素が、各シンボル期間において利用可能であり得る。各リソース要素は、１つのシンボル期間において１つのサブキャリアをカバーし得、１つの変調シンボルを送るために使用され得、それは実数または複素数値（a real or complex value）であり得る。各シンボル期間における、基準信号のために使用されないリソース要素は、リソース要素グループ（ＲＥＧ）に配列され得る。各ＲＥＧは、１つのシンボル期間において４つのリソース要素を含み得る。ＰＣＦＩＣＨは、シンボル期間０において、周波数にわたっておおよそ等しく間隔を空けられ得る４つのＲＥＧを占有し得る。ＰＨＩＣＨは、１つまたは複数の構成可能なシンボル期間において、周波数にわたって散在（spread across）し得る３つのＲＥＧを占有し得る。例えば、ＰＨＩＣＨに関する３つのＲＥＧは、すべてシンボル期間０に属し得るか、またはシンボル期間０、１および２に散在し得る。ＰＤＣＣＨは、最初のＭ個のシンボル期間において、利用可能なＲＥＧから選択され得る９、１８、３２または６４個のＲＥＧを占有し得る。ＲＥＧのある特定の組合せのみが、ＰＤＣＣＨに関して可能にされ得る。
【００３６】
[0047]  ＵＥは、ＰＨＩＣＨおよびＰＣＦＩＣＨのために使用される特定のＲＥＧを知り得る。ＵＥは、ＰＤＣＣＨに関するＲＥＧの異なる組合せを検索し得る。検索するための組合せの数は、典型的にはＰＤＣＣＨに関して可能にされた組合せの数より少ない。ｅＮＢは、ＵＥが検索することになる組合せのいずれにおいてもＰＤＣＣＨをＵＥに送り得る。ＵＥは、複数のｅＮＢのカバレッジ内にあり得る。これらのｅＮＢのうちの１つが、ＵＥにサービス提供するために選択され得る。サービングｅＮＢは、受信電力、経路損失、信号対雑音比（ＳＮＲ）等のような様々な基準に基づいて選択され得る。
【００３７】
[0048]  図１に戻って、本開示は、いくつかの態様では、本明細書においてキャリア感知適応送信（ＣＳＡＴ）とも称される技法に関し、それは、共通に使用されるリソース（例えば、特定のアンライセンスＲＦバンドまたは共通チャネル（co-channel））上で動作する異なる技術間の共存を容易にするために使用され得る。アクセスポイント１０６は、同一場所に配置された無線機（例えば、トランシーバ）１１２および１１４を含む。無線機１１２は、通信するために、第２のＲＡＴ（例えば、ＬＴＥ）を使用する。無線機１１４は、第１のＲＡＴ（例えば、Ｗｉ−Ｆｉ）を使用して信号を受信することができる。加えて、インタフェース１１６は、無線機１１２および１１４が互いに通信することを可能にする。
【００３８】
[0049]  これらの同一場所に配置された無線機は、キャリア感知多元接続のような（ＣＳＭＡのような）動作のモードを可能にするために活用され、それにより無線機１１４は繰り返し（例えば、周期的に）共通チャネル上で測定を行う。これらの測定に基づいて、無線機１１２は、共通チャネルが第１のＲＡＴで動作しているデバイスによって利用されている程度（the extent）を決定する。無線機１１２はこのようにして、リソースの利用度（the resource utilization）にしたがって、（第２のＲＡＴを使用した）チャネル上でのそれの通信を適応させることができる。
【００３９】
[0050]  例えば、Ｗｉ−Ｆｉデバイスによるリソースの利用度が高い場合、ＬＴＥ無線機は、ＬＴＥ無線機による共通チャネルの使用が減少するように、共通チャネルを介して通信するためにＬＴＥ無線機が使用する１つまたは複数の送信パラメータを調整し得る。例えば、ＬＴＥ無線機は、それの送信デューティーサイクル、送信電力、または周波数割り振りを減少させ得る。
【００４０】
[0051]  逆に、Ｗｉ−Ｆｉデバイスによるリソースの利用度が低い場合、ＬＴＥ無線機は、ＬＴＥ無線機による共通チャネルの使用が増加するように、共通チャネルを介して通信するためにＬＴＥ無線機が使用する１つまたは複数の送信パラメータを調整し得る。例えば、ＬＴＥ無線機は、それの送信デューティーサイクル、送信電力、または周波数割り振りを増加させ得る。
【００４１】
[0052]  開示されるスキームは、いくつかの利点を提供し得る。例えば、第１のＲＡＴに関連する信号に基づいて通信を適応させるによって、第２のＲＡＴは、第１のＲＡＴを使用するデバイスによる共通チャネルの利用のみに反応するように構成され得る。したがって、他のデバイス（例えば、非Ｗｉ−Ｆｉデバイス）による干渉または隣接したチャネルの干渉は、必要に応じて無視され得る。別の例として、このスキームは、所与のＲＡＴを使用するデバイスが、別のＲＡＴを使用するデバイスによる共通チャネル通信に対してどれほどの保護が与えられるべきかを制御することを可能にする。また、そのようなスキームは、ＬＴＥ  ＰＨＹまたはＭＡＣを変えることなく、ＬＴＥシステムにおいてインプリメントされ得る。例えば、これらの変更は、単にＬＴＥソフトウェアを変更することによってインプリメントされ得る。
【００４２】
[0053]  いくつかの態様では、ここで説明される利点は、Ｗｉ−Ｆｉチップまたは同様の機能性を、ＬＴＥアクセスポイントに追加することによって達成され得る。必要に応じて、低い機能性のＷｉ−Ｆｉ回路が、コストを削減するために用いられ得る（例えば、単に低いレベルのスニフィング（sniffing）を提供するＷｉ−Ｆｉ回路）。
【００４３】
[0054]  ここで使用される場合、同一場所に配置された（例えば、無線機、アクセスポイント、トランシーバ等）という用語は、様々な態様において、例えば、次のうちの１つまたは複数を含み得る：同じハウジング内にあるコンポーネント、同じプロセッサによってホストさるコンポーネント、互いに定義された距離内にあるコンポーネント、または、インタフェース（例えば、イーサネット（登録商標）スイッチ）を介して接続されたコンポーネントであって、ここでインタフェースは、いかなる要求されるコンポーネント間通信（例えば、メッセージング）のレイテンシ要件も満たす、コンポーネント。
【００４４】
[0055]  本開示の態様はキャリア感知適応送信に関して説明されているが、本開示はそのように限定される必要はない。ここに説明された同じおよび／または異なる態様または技法は、いくつかの事例では、共通に使用されるリソース（例えば、アンライセンススペクトル）で動作する異なる技術間の共存を容易にするように構成される他のメカニズムを使用して、インプリメントされ得る。
【００４５】
[0056]  図３は、アクセス端末によって通信されるアンライセンススペクトルにおけるＬＴＥに関するＣＳＡＴ時分割多重化された（ＴＤＭ）デューティーサイクリングの例を例示し、ここで、アクセス端末はサブフレームコンポーネント４２０（図４）を含み得、アクセスポイントは対応するサブフレームコンポーネント４６０（図４）を含み得、それぞれのサブフレームコンポーネントは、アクセス端末がアンライセンス無線周波数スペクトルバンドにおいてスタンドアロンモードで動作しているとき、アクセス端末がアクセスポイントを発見するおよび／またはアクセスポイントと同期することを可能にするように動作する。サブフレームコンポーネント４２０およびサブフレームコンポーネント４６０の動作の詳細は、図４〜８に関して以下で説明される。時間ＴＯＮの間、アンライセンスＲＦバンド上での送信がイネーブル（enabled）され、それはＣＳＡＴ  ＯＮ期間と称され得る。時間ＴＯＦＦの間、同一場所に配置されたＷｉ−Ｆｉ無線機が測定を行うことを可能にするために、アンライセンスＲＦバンド上での送信がディセーブル（disabled）され、それはＣＳＡＴ  ＯＦＦ期間と称され得る。このようにして、アンライセンススペクトルにおけるＬＴＥのためのＴＤＭ通信デューティーサイクリングが、適応可能なＴＤＭ送信パターンを作り出すためにインプリメントされ得る。
【００４６】
[0057]  図４は、本開示の一態様による、少なくとも１つのネットワークエンティティ４０４（例えば、基地ステートまたはノードＢ）の通信カバレッジ内の少なくとも１つのＵＥ４０２を含む、電気通信ネットワークシステム４００の例を例示する図である。ＵＥ４０２は、ネットワークエンティティ４０４を介してネットワーク４０６と通信することができる。一態様では、ＵＥ４０２は、ワイヤレス通信の間にタイミング情報を発見するために、サブフレームコンポーネント４２０と共同して動作し得る、１つまたは複数のプロセッサ４５６、およびオプションとしてメモリ４５８を含み得る。同様に、ネットワークエンティティ４０４は、ワイヤレス通信の間にタイミング情報を送信するために、サブフレームコンポーネント４６０と共同して動作し得る、１つまたは複数のプロセッサ４８２、およびオプションとしてメモリ４８４を含み得る。言い換えれば、それぞれのサブフレームコンポーネントは、ＵＥまたはアクセス端末が、アンライセンス周波数スペクトルにおいてスタンドアロンモードおよび／またはキャリアアグリゲーションモードで動作しているとき、ＵＥまたはアクセス端末が、ｅノードＢまたはアクセスポイントを発見するおよび／またはｅノードＢまたはアクセスポイントと同期することを可能にするように動作する。したがって、本態様は、ネットワークがＣＥＴを禁止し得る、および／またはＣＥＴにおいて送信される発見信号が干渉が原因で復号可能でない可能性がある状況において、ＵＥ４０２がタイミング情報を発見することを可能にし得る。
【００４７】
[0058]  一態様では、ネットワークエンティティ４０４は、ＵＭＴＳネットワークにおけるノードＢのような基地局であり得る。ＵＥ４０２は、ネットワークエンティティ４０４を介してネットワーク４０６と通信し得る。いくつかの態様では、ＵＥ４０２を含む複数のＵＥが、ネットワークエンティティ４０４を含む１つまたは複数のネットワークエンティティを伴う通信カバレッジ内にあり得る。一例では、ＵＥ４０２は、ネットワークエンティティ４０４におよび／またはから、ワイヤレス通信４０８／４１０を、送信および／または受信し得る。いくつかの態様では、ＵＥ４０２は、通信チャネル４０８（例えば、アップリンクとダウンリンクとの両方）およびダウンリンク通信チャネル４１０を使用して、ライセンスおよび／またはアンライセンススペクトル上で(across)ネットワークエンティティ４０４と通信し得る。
【００４８】
[0059]  一態様では、各ネットワークエンティティ４０４は、サブフレームコンポーネント４６０を含み得、それは、サブフレームコンポーネント４２０を用いて１つまたは複数の発見信号４３２に関してモニタリングするように構成され得るＵＥ４０２のようなＵＥに、アンライセンス無線周波数スペクトル上で、タイミング情報４３４を含む１つまたは複数の発見信号４３２を送信するように構成され得る。例えば、一態様では、発見信号４３２は、ネットワークエンティティ４０４に接続するための情報をＵＥ４０２に提供するように構成された物理チャネル上で送信される信号を含み得るが、それに限定されるわけではない。さらに、例えば、一態様では、タイミング情報は、無線フレームに関する現在のサブフレーム位置を示す１つまたは複数のビットを含み得るが、それに限定されるわけではない。いくつかの事例では、アンライセンス周波数バンドは、それの使用がスペクトルライセンシングアプローチを通して制限されていない無線スペクトルの任意の部分（例えば、無線スペクトルにおける共有チャネルの一部）であると考えられ得る。いくつかの事例では、ネットワーク４０６は、クリアチャネルアセスメント（ＣＣＡ）免除送信（ＣＥＴ）を用いて動作することを可能にされ得る、および／または、ＣＥＴ機会（occasions）に送信される発見信号４３２は干渉が原因で復号可能でない可能性がある。一態様では、ＣＣＡプロシージャは、アンライセンス無線周波数スペクトルバンドのチャネルが利用可能かどうかを決定する。以前の事例では、ＣＥＴが送信および／または受信されることができない場合、ネットワークエンティティ４０４に関するタイミング情報は、取得することが、またはそうでなければ決定することが、困難であり得る。したがって、発見信号４３２はネットワークエンティティ４０４の現在のサブフレーム位置に対応するタイミング情報４３４を含むので、ネットワークエンティティ４０４のサブフレームコンポーネント４６０は、ＣＥＴの必要なしに、ダウンリンク通信チャネル４１０を介してＵＥ４０２に発見信号４３２を送信し得る。例えば、一態様では、サブフレームコンポーネント４６０は、タイミング情報４３４を含む、ダウンリンク制御情報（ＤＣＩ）を、物理ダウンリンク制御チャネル（ＰＤＣＣＨ）および／または向上されたＰＤＣＣＨ（ｅＰＤＣＣＨ）上で、送信し得る。
【００４９】
[0060]  一態様では、ＵＥ４０２のサブフレームコンポーネント４２０は、モニタリングコンポーネント４３０を含み得、それは、ネットワークエンティティ４０４からの発見信号４３２に関して、アンライセンス無線周波数スペクトルバンド上でモニタリングするように構成され得る。さらに、ＵＥ４０２のサブフレームコンポーネント４２０は、受信コンポーネント４４０を含み得、それは、ネットワークエンティティ４０４から、サブフレーム４５２の間に、発見信号４３２を受信するように構成され得る。また、ＵＥ４０２のサブフレームコンポーネント４２０は、決定コンポーネント４５０を含み得、それは、発見信号４３２に基づいて、ネットワークエンティティ４０４の（サブフレーム４５２に対応する）現在のサブフレーム位置を決定するように構成され得、ここにおいて、発見信号４３２は、現在のサブフレーム位置に対応するタイミング情報４３４を含む。現在のサブフレーム位置を決定することの結果として、ＵＥ４０２は、ネットワークエンティティ４０４の無線フレーム境界に対応するタイミング情報を決定し、ネットワークエンティティ４０４と同期し得る。サブフレームコンポーネント４２０は、復調コンポーネント４５４を含むようにさらに構成され得、それは、発見信号４３２に含まれる同期情報に基づいて、ｅＰＤＣＣＨを復調するように構成され得る。
【００５０】
[0061]  別の態様では、ネットワークエンティティ４０４のサブフレームコンポーネント４６０は、確立コンポーネント４７０を含み得、それは、発見信号４３２に含めるためのタイミング情報４３４を確立するように構成され得る。いくつかの事例では、タイミング情報４３４は、ネットワークエンティティ４０４の現在のサブフレーム位置に対応する。さらに、ネットワークエンティティ４０４のサブフレームコンポーネント４６０は、送信コンポーネント４８０を含み得、それは、アンライセンス無線周波数スペクトルバンド上で、サブフレーム４５２の間に、ＵＥ４０２に、発見信号４３２を送信するように構成され得る。このようにして、ネットワークエンティティ４０４は、ＣＥＴの必要なしに、発見信号４３２を送信し得る。
【００５１】
[0062]  また、例えば、電気通信ネットワークシステム４００は、ＬＴＥネットワークであり得る。電気通信ネットワークシステム４００は、いくつかの発展型ノードＢ（ｅノードＢ）（例えば、ネットワークエンティティ４０４）およびＵＥ４０２、ならびに他のネットワークエンティティを含み得る。ｅノードＢは、ＵＥ４０２と通信する局であり得、基地局、アクセスポイント等とも呼ばれ得る。ノードＢは、ＵＥ４０２と通信する局の別の例である。
【００５２】
[0063]  各ｅノードＢ（例えば、ネットワークエンティティ４０４）は、特定の地理的エリアに通信カバレッジを提供し得る。３ＧＰＰでは、「セル」という用語は、その用語が使用される文脈に応じて、ｅノードＢのカバレッジエリア、および／またはそのカバレッジエリアにサービス提供しているｅノードＢサブシステムを指すことができる。
【００５３】
[0064]  ｅノードＢ（例えば、ネットワークエンティティ４０４）は、スモールセルおよび／または他のタイプのセルに通信カバレッジを提供し得る。「スモールセル」（または「スモールカバレッジセル」）という用語は、ここで使用される場合、アクセスポイントまたはアクセスポイントの対応するカバレッジエリアを指し得、ここでアクセスポイントはこのケースでは、例えば、マクロネットワークアクセスポイントまたはマクロセルの送信電力またはカバレッジエリアに比べ、比較的低い送信電力または比較的狭いカバレッジを有する。例えば、マクロセルは、限定されるわけではないが、半径数キロメートルのような、比較的広い地理的エリアをカバーし得る。対照的に、スモールセルは、限定されるわけではないが、住宅、建物、または建物のフロアのような、比較的狭い地理的エリアをカバーし得る。したがって、スモールセルは、限定されるわけではないが、基地局（ＢＳ）、アクセスポイント、フェムトノード、フェムトセル、ピコノード、マイクロノード、ノードＢ、発展型ＮｏｄｅＢ（ｅＮＢ）、ホームノードＢ（ＨＮＢ）、またはホーム発展型ＮｏｄｅＢ（ＨｅＮＢ）のような装置を含み得る。故に、「スモールセル」という用語は、ここで使用される場合、マクロセルに比べ、比較的低い送信電力および／または比較的狭いカバレッジエリアのセルを指す。マクロセルに関するｅノードＢは、マクロｅノードＢと称され得る。ピコセルに関するｅノードＢは、ピコｅノードＢと称され得る。フェムトセルに関するｅノードＢは、フェムトｅノードＢまたはホームｅノードＢと称され得る。
【００５４】
[0065]  いくつかの態様では、ＵＥ４０２はまた、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の適切な用語で、当業者によって、（ならびにここで置換え可能に）呼ばれ得る。ＵＥ４０２は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、グローバルポジショニングシステム（ＧＰＳ）デバイス、マルチメディアデバイス、ビデオデバイス、デジタルオーディオプレイヤ（例えば、ＭＰ３プレイヤ）、カメラ、ゲームコンソール、ウェアラブルコンピューティングデバイス（例えば、スマートウォッチ、スマート眼鏡、ヘルスまたはフィットネストラッカー（a health or fitness tracker）等）、電気機器（appliance）、センサ、車両通信システム、医療デバイス、自動販売機、モノのインターネット（the Internet-of-Things）に関するデバイス、または任意の他の同様に機能するデバイスであり得る。さらに、ネットワークエンティティ４０４は、マイクロセル、ピコセル、フェムトセル、リレイ、ノードＢ、モバイルノードＢ、ＵＥ（例えば、ＵＥ４０２とピアツーピアまたはアドホックモードで通信する）、または、ＵＥ４０２においてワイヤレスネットワークアクセスを提供するためにＵＥ４０２と通信することができる事実上いかなるタイプのコンポーネントでもあり得る。
【００５５】
[0066]  図５に関して、動作中、ＵＥ４０２（図４）のようなＵＥは、ワイヤレス通信の間にタイミング情報を発見するための方法５００Ａの一態様を実施し得る。説明の簡潔性のために、本明細書における方法は、一連の動作として示されているおよび説明されているが、いくつかの動作は、１つまたは複数の態様にしたがって、ここに示されるおよび説明されるものとは異なる順序で、および／または、他の動作と同時に（concurrently）発生し得るので、これら方法は、動作の順序によって限定されないことは理解および認識されるべきである。例えば、これら方法は、代替的に、状態図等において、一連の相互に関係する状態またはイベントとして表される可能性があることは認識されるべきである。また、すべての例示された動作が、ここに説明される１つまたは複数の特徴にしたがって方法をインプリメントするために要求されるわけではない可能性がある。
【００５６】
[0067]  一態様では、ブロック５１０において、方法５００Ａは、ＵＥにおいて、ネットワークエンティティからの発見信号に関して、アンライセンス無線周波数スペクトルバンド上でモニタリングすることを含む。例えば、ここに説明されたように、サブフレームコンポーネント４２０は、ＵＥ（例えば、ＵＥ４０２）において、ネットワークエンティティ４０４からの発見信号４３２に関して、アンライセンス無線周波数スペクトルバンド上でモニタリングするためのモニタリングコンポーネント４３０（図４）を含み得る。いくつかの事例では、発見信号４３２は、向上されたシステム情報ブロック（ｅＳＩＢ）を含み、ここにおいて、ｅＳＩＢは、ＵＥ４０２がネットワークエンティティ４０４に接続することを可能にするパラメータであるＳＩＢ１、ＳＩＢ２、およびマスター情報ブロック（ＭＩＢ）を含む。ある特定の事例では、発見信号４３２は、プライマリ同期信号（ＰＳＳ）およびセカンダリ同期信号（ＳＳＳ）に対応する同期情報を含む。
【００５７】
[0068]  ブロック５２０において、方法５００Ａは、ネットワークエンティティから、サブフレームの間に、発見信号を受信することを含む。例えば、ここに説明されたように、サブフレームコンポーネント４２０は、ネットワークエンティティから、サブフレームの間に、発見信号を受信するための受信コンポーネント４４０（図４）を含み得る。いくつかの事例では、発見信号４３２は、アンライセンス無線周波数スペクトルバンドのチャネルが利用可能かどうか確認（establish whether）するためのＣＣＡプロシージャの間に、ネットワークエンティティ４０４から、物理ダウンリンク制御チャネル（ＰＤＣＣＨ）および／または向上されたＰＤＣＣＨ（ｅＰＤＣＣＨ）（例えば、図４のダウンリンク通信チャネル４１０）上で受信される。
【００５８】
[0069]  さらに、ブロック５３０において、方法５００Ａは、発見信号に基づいて、ネットワークエンティティの現在のサブフレーム位置を決定することを含み、ここにおいて、発見信号は、現在のサブフレーム位置に対応するタイミング情報を含む。例えば、ここに説明されたように、サブフレームコンポーネント４２０は、発見信号に基づいて、ネットワークエンティティの現在のサブフレーム位置を決定するための決定コンポーネント４５０（図４）を含み得、ここにおいて、発見信号は、現在のサブフレーム位置に対応するタイミング情報を含む。いくつかの態様では、方法５００Ａは、続けて図５Ｂのブロック５４０に進み得る。
【００５９】
[0070]  図５Ｂに関して、一態様では、ブロック５４０において、方法５００Ｂは、ダウンリンク制御チャネルを復調することを含む。例えば、ここに説明されたように、サブフレームコンポーネント４２０は、ダウンリンク制御チャネルを復調するための復調コンポーネント４５４（図４）を含み得る。いくつかの態様では、ダウンリンク制御チャネルは、ＰＤＣＣＨまたはｅＰＤＣＣＨのうちのいずれかに対応し得る。いくつかの事例では、サブフレームコンポーネント４２０および／または復調コンポーネント４５４は、発見信号４３２に含まれる同期情報に基づいて、ｅＰＤＣＣＨを復調するように構成され得る。サブフレームコンポーネント４２０は、セル固有の基準信号（ＣＲＳ）なしにｅＰＤＣＣＨを復調し得る。
【００６０】
[0071]  一態様では、ブロック５５０において、方法５００Ｂは、ダウンリンク制御チャネルを復調することに応答して、サブフレーム内でのｅＳＩＢの位置を決定することを含む。例えば、ここに説明されたように、サブフレームコンポーネント４２０は、ｅＰＤＣＣＨを復調することに応答して、サブフレーム４５２内でのｅＳＩＢの位置を決定するための決定コンポーネント４５０（図４）を含み得る。
【００６１】
[0072]  一態様では、ブロック５６０において、方法５００Ｂは、ネットワークエンティティの現在のサブフレーム位置に基づいて、無線フレーム境界（ＲＦＢ：radio frame boundary）を決定することを含む。例えば、ここに説明されたように、サブフレームコンポーネント４２０は、ネットワークエンティティ４０４の現在のサブフレーム位置に基づいて、ＲＦＢを決定する決定するための決定コンポーネント４５０（図４）を含み得る。
【００６２】
[0073]  一態様では、ブロック５７０において、方法５００Ｂは、ネットワークエンティティの現在のサブフレーム位置に基づいて、発見ウィンドウおよび発見期間を決定することを含む。例えば、ここに説明されたように、サブフレームコンポーネント４２０は、ネットワークエンティティ４０４の現在のサブフレーム位置に基づいて、発見ウィンドウおよび発見期間を決定するための決定コンポーネント４５０（図４）を含み得る。いくつかの事例では、発見ウィンドウのサイズおよび発見期間のサイズは、事前構成される。他の事例では、発見ウィンドウに関するタイミング情報に対応するタイムインジケーションが、サブフレームコンポーネント４２０によって受信され得る。発見信号４３２は、発見ウィンドウの間に、非周期的な日和見的な信号（a non-periodic opportunistic signal）として受信され得る。
【００６３】
[0074]  図６に関して、動作中、ネットワークエンティティ４０４（図４）のようなネットワークエンティティは、ワイヤレス通信の間にタイミング情報を送信するための方法６００の一態様を実施し得る。説明の簡潔性のために、本明細書における方法は、一連の動作として示されているおよび説明されているが、いくつかの動作は、１つまたは複数の態様にしたがって、ここに示されるおよび説明されるものとは異なる順序で、および／または、他の動作と同時に発生し得るので、これら方法は、動作の順序によって限定されないことは理解および認識されるべきである。例えば、これら方法は、代替的に、状態図等において、一連の相互に関係する状態またはイベントとして表される可能性があることは認識されるべきである。また、すべての例示された動作が、ここに説明された１つまたは複数の特徴にしたがって方法をインプリメントするために要求されるわけではない可能性がある。
【００６４】
[0075]  一態様では、ブロック６１０において、方法６００は、ネットワークエンティティにおいて、発見信号に関するタイミング情報を確立することを含み、ここにおいて、タイミング情報は、ネットワークエンティティの現在のサブフレーム位置に対応する。例えば、ここに説明されたように、サブフレームコンポーネント４６０は、ネットワークエンティティにおいて、発見信号に関するタイミング情報を確立するための確立コンポーネント４７０（図４）を含み得、ここにおいて、タイミング情報は、ネットワークエンティティの現在のサブフレーム位置に対応する。いくつかの事例では、発見信号４３２は、向上されたシステム情報ブロック（ｅＳＩＢ）を含み、ここにおいて、ｅＳＩＢは、ＳＩＢ１、ＳＩＢ２、およびマスター情報ブロック（ＭＩＢ）のうちの少なくとも１つまたは複数を含み、それらはネットワークエンティティ４０４に接続するためにＵＥ４０２によって使用されるパラメータである。
【００６５】
[0076]  また、サブフレームコンポーネント４６０は、各発見期間の間に存在する発見ウィンドウの数を決定することと、各発見期間の間に存在する発見ウィンドウの数の決定に基づいて、発見信号４３２に含めるためのビットの数を計算することと、によって、発見信号４３２に関するタイミング情報４３４を確立する。ある特定の事例では、発見信号４３２に含まれるビットの数を計算することはさらに、各発見期間の間に１つの発見ウィンドウが存在するとき、発見ウィンドウのサイズに基づいて、ビットの数を計算することを備える。他の事例では、発見信号４３２に含まれるビットの数を計算することはさらに、各発見期間の間に２つ以上の発見ウィンドウが存在するとき、発見期間のサイズに基づいて、ビットの数を計算することを備える。
【００６６】
[0077]  さらに、ブロック６２０において、方法６００は、アンライセンス無線周波数スペクトルバンド上で、サブフレームの間に、ユーザ装置（ＵＥ）に、発見信号を送信することを含む。例えば、ここに説明されたように、サブフレームコンポーネント４６０は、アンライセンス無線周波数スペクトルバンド上で、サブフレームの間に、ユーザ装置（ＵＥ）に、発見信号を送信するための送信コンポーネント４８０（図４）を含み得る。いくつかの事例では、発見信号４３２は、アンライセンス無線周波数スペクトルバンドのチャネルが利用可能かどうか確認するためのクリアチャネルアセスメント（ＣＣＡ）プロシージャの間に、向上された物理ダウンリンク制御チャネル（ｅＰＤＣＣＨ）上で、ＵＥ４０２に、送信される。したがって、発見信号４３２は、ｅＰＤＣＣＨを復調するために使用される同期情報を含み、ここにおいて、サブフレーム内でのｅＳＩＢの位置が、ｅＰＤＣＣＨを復調することに応答して、決定される。同期情報は、プライマリ同期信号（ＰＳＳ）およびセカンダリ同期信号（ＳＳＳ）を含み得る。また、いくつかの事例では、例えば、発見信号は、セル固有の基準信号（ＣＲＳ）なしに送信され得る。発見信号はまた、発見ウィンドウの間に、非周期的な日和見的な信号としてサブフレームコンポーネント４６０によって送信され得る。
【００６７】
[0078]  図７は、本開示の様々な態様による、アンライセンス無線周波数スペクトルバンド上でネットワークエンティティによって成される送信の例７００を示す。いくつかの例では、送信を行うネットワークエンティティは、図４を参照して説明されたネットワークエンティティ４０４の態様の例であり得る。
【００６８】
[0079]  例として、図７は、３つの隣接した発見期間において、時間にわたってネットワークエンティティによって成される時間にわたる複数の送信を例示する。３つの隣接した発見期間は、第１の発見期間７０５、第２の発見期間７１０、および第３の発見期間７１５を含む。
【００６９】
[0080]  ネットワークエンティティによって成される送信は、ネットワークエンティティのダウンリンクＣＥＴ（ＣＥＴ７２０）の間に成される同期送信、非周期的なサブフレーム位置（例えば、成功したＣＣＡ７２５に続く）の間に成される同期送信、および発見ウィンドウ７３０の間に成される非同期送信を含み得る。
【００７０】
[0081]  発見ウィンドウ７３０は、第１の発見期間７０５、第２の発見期間７１０、および第３の発見期間７１５の各々においてか、Ｎ個の発見期間ごとに１度（ここでＮ＞１）か、または、動的ベースで（on a dynamic basis）１つまたは複数の発見期間において、提供され得る。発見ウィンドウ７３０の長さまたは持続時間は、示されたものよりも短いまたは長い可能性がある。いくつかの例では、発見ウィンドウ７３０は、少なくとも１つの非周期的なサブフレーム位置（例えば、ＣＣＡ７２５に続く少なくとも１つのサブフレーム）と時間的にオーバーラップし得る。いくつかの例では、発見ウィンドウ７３０は、ＣＥＴ７２０、ＣＣＡ７２５、またはＣＣＡ７２５に続く周期的な固定のサブフレーム（a periodic fixed subframe）に含まれるサブキャリア周波数のセットとは異なる、アンライセンス無線周波数スペクトルバンドのサブキャリア周波数のセットに関連し得る。
【００７１】
[0082]  いくつかの態様では、同期信号は、ネットワークエンティティによって、ＣＥＴ７２０のうちの１つまたは複数の間に、１つまたは複数の周期的な固定のサブフレーム位置（例えば、１つまたは複数の成功したＣＥＴ７２０に続く）の間に、および／または、発見ウィンドウ７３０の間に、送信され得る。ＣＥＴ７２０の間の、または周期的な固定のサブフレームの間の、同期信号の送信は、同期送信と考えられ得、その一方で、発見ウィンドウ７３０の間の同期信号の送信は、非同期送信と考えられ得る。いくつかの例では、送信される同期信号は、セルの発見、同期、および／または他の目的のために使用され得る。いくつかの例では、送信される同期信号は、ＰＳＳおよび／またはＳＳＳを含み得る。
【００７２】
[0083]  いくつかの態様では、ネットワークエンティティは、発見ウィンドウ７３０の間に、日和見的な発見信号（an opportunistic discovery signal）（例えば、１つまたは複数のＣＣＡ７２５）を送信することを試み得る。ある特定の事例では、ネットワークは、ＣＥＴ７２０を送信することを妨げられ得る、および／またはＣＥＴ７２０において送信される発見信号は、干渉が原因で復号可能でない可能性がある。したがって、ネットワークエンティティは、１つまたは複数のＣＣＡ７２５を、発見ウィンドウ７３０の間に、ＣＥＴ７２０を送信するための時間期間外で、送信し得、ここで、１つまたは複数のＣＣＡ７２５は、図４の発見信号４３２のような発見信号であり得る。ＣＣＡ７２５は、発見信号が送信された現在のサブフレームの位置を決定するためにＵＥが使用し得るタイミング情報を含み得る。タイミング情報に基づいて、ＵＥは、発見ウィンドウ７３０の境界、および／または発見期間７０５または７１０または７１５の境界、および／または無線フレームの境界を決定することが可能であり得、よって、ネットワークエンティティおよび／またはセルと同期することが可能であり得る。故に、ＵＥがネットワークエンティティと適切に同期することができるようになるために、ＣＥＴ７２０を受信することはもはや必要でない。
【００７３】
[0084]  図８は、ここに教示される動作をサポートするための、装置８０２（例えば、アクセス端末）、なおそれはＵＥ４０２（図４）に対応し得、なおそれはサブフレームコンポーネント４２０（図４）を含むＵＥ４０２に対応し得る、と、装置８０４および装置８０６（例えば、それぞれアクセスポイントおよびネットワークエンティティ）、なおここでそれらの一方または両方は、サブフレームコンポーネント４６０（図４）を含むネットワークエンティティ４０４に対応し得る、と、に組み込まれ得る、いくつかのサンプルのコンポーネント（対応するブロックによって表される）を例示する。これらのコンポーネントは、異なるインプリメンテーションにおいては異なるタイプの装置においてインプリメントされ得る（例えば、ＡＳＩＣにおいて、ＳｏＣにおいて等）ことは認識されるべきである。説明されるコンポーネントはまた、通信システムにおける他の装置にも組み込まれ得る。例えば、システムにおける他の装置は、同様の機能性を提供するための、説明されたものと同様のコンポーネントを含み得る。また、所与の装置は、説明されるコンポーネントのうちの１つまたは複数を含み得る。例えば、ある装置は、その装置が複数のキャリア上で動作することおよび／または異なる技術を介して通信することを可能にする複数のトランシーバコンポーネントを含み得る。
【００７４】
[0085]  装置８０２および装置８０４の各々は、少なくとも１つの指定された無線アクセス技術を介して他のノードと通信するための、少なくとも１つのワイヤレス通信デバイス（通信デバイス８０８および８１４（および装置８０４がリレイの場合には通信デバイス８２０）によって表される）を含む。各通信デバイス８０８は、信号（例えば、メッセージ、インジケーション、情報等）を送信および符号化するための少なくとも１つの送信機（送信機８１０によって表される）と、信号（例えば、メッセージ、インジケーション、情報、パイロット等）を受信および復号するための少なくとも１つの受信機（受信機８１２によって表される）を含む。同様に、各通信デバイス８１４は、信号（例えば、メッセージ、インジケーション、情報、パイロット等）を送信するための少なくとも１つの送信機（送信機８１６によって表される）と、信号（例えば、メッセージ、インジケーション、情報等）を受信するための少なくとも１つの受信機（受信機８１８によって表される）を含む。装置８０４がリレイアクセスポイントである場合、各通信デバイス８２０は、信号（例えば、メッセージ、インジケーション、情報、パイロット等）を送信するための少なくとも１つの送信機（送信機８２２によって表される）と、信号（例えば、メッセージ、インジケーション、情報等）を受信するための少なくとも１つの受信機（受信機８２４によって表される）を含み得る。
【００７５】
[0086]  送信機および受信機は、いくつかのインプリメンテーションでは、（例えば、単一の通信デバイスの送信機回路および受信機回路として具現化される）統合されたデバイスを備え得、いくつかのインプリメンテーションでは、個別の送信機デバイスおよび個別の受信機デバイスを備え得、または他のインプリメンテーションでは、他の方法で、具現化され得る。いくつかの態様では、装置８０４のワイヤレス通信デバイス（例えば、複数のワイヤレス通信デバイスのうちの１つ）は、ネットワークリッスンモジュールを備える。
【００７６】
[0087]  装置８０６（およびそれがリレイアクセスポイントでない場合は装置８０４）は、他のノードと通信するための少なくとも１つの通信デバイス（通信デバイス８２６、およびオプションとして８２０によって表される）を含む。例えば、通信デバイス８２６は、ワイヤベースまたはワイヤレスバックホールを介して１つまたは複数のネットワークエンティティと通信するように構成されるネットワークインタフェースを備え得る。いくつかの態様では、通信デバイス８２６は、ワイヤベースのまたはワイヤレス信号通信をサポートするように構成されるトランシーバとしてインプリメントされ得る。この通信は、例えば、メッセージ、パラメータ、または他のタイプの情報を送るおよび受信することに関わり得る。したがって、図８の例では、通信デバイス８２６は、送信機８２８および受信機８３０を備えるものとして示される。同様に、装置８０４がリレイアクセスポイントでない場合、通信デバイス８２０は、ワイヤベースまたはワイヤレスバックホールを介して１つまたは複数のネットワークエンティティと通信するように構成されるネットワークインタフェースを備え得る。通信デバイス８２６と同様に、通信デバイス８２０は、送信機８２２および受信機８２４を備えるものとして示される。
【００７７】
[0088]  装置８０２、８０４、および８０６はまた、ここに教示される通信適応動作（communication adaptation operations）と併せて使用され得る他のコンポーネントを含む。装置８０２は、例えば、ここに教示される通信適応をサポートするためにアクセスポイントと通信することに関する機能性を提供するための、および他の処理の機能性を提供するための、１つまたは複数のプロセッサ４５６を含む。装置８０４は、例えば、ここに教示される通信適応に関する機能性を提供するための、および他の処理の機能性を提供するための、処理システム８３４を含む。装置８０６は、例えば、ここに教示される通信適応に関する機能性を提供するための、および他の処理の機能性を提供するための、１つまたは複数のプロセッサ４８２を含む。装置８０２、８０４、および８０６は、情報（例えば、パラメータ、しきい値、リザーブされたリソース等を示す情報）を維持するための、メモリデバイス４５８、８４０、および４８４（例えば、各々がメモリデバイスを含む）を、それぞれ含む。加えて、装置８０２、８０４、および８０６は、インジケーション（例えば、オーディブルおよび／またはビジュアルインジケーション）をユーザに提供するための、および／または（例えば、キーパッド、タッチスクリーン、マイクロフォン等のような感知デバイス（a sensing device）のユーザアクチュエーションの際に）ユーザ入力を受信するための、ユーザインタフェースデバイス８４４、８４６、および８４８をそれぞれを含む。
【００７８】
[0089]  便宜上、装置８０２は、図８において、ここに説明される様々な例で使用され得るコンポーネントを含むように示される。実際には、例示されたブロックは、異なる態様では異なる機能性を有し得る。
【００７９】
[0090]  図８のコンポーネントは、様々な方法でインプリメントされ得る。いくつかのインプリメンテーションでは、図８のコンポーネントは、例えば、１つまたは複数のプロセッサおよび／または（１つまたは複数のプロセッサを含み得る）１つまたは複数のＡＳＩＣのような１つまたは複数の回路においてインプリメントされ得る。ここで、各回路は、この機能性を提供するために回路によって使用される実行可能なコードまたは情報を記憶するための少なくとも１つのメモリコンポーネントを使用および／または組み込み得る。例えば、ブロック８０８、８３２、８３８、および８４４によって表される機能性のうちのいくつかまたはすべては、（例えば、適当なコードの実行によって、および／またはプロセッサコンポーネントの適当な構成によって）装置８０２の（１つまたは複数の）プロセッサおよびメモリコンポーネントによって、インプリメントされ得る。同様に、ブロック８１４、８２０、８３４、８４０、および８４６によって表される機能性のうちのいくつかまたはすべては、（例えば、適当なコードの実行によって、および／またはプロセッサコンポーネントの適当な構成によって）装置８０４の（１つまたは複数の）プロセッサおよびメモリコンポーネントによって、インプリメントされ得る。また、ブロック８２６、８３６、８４２、および８４８によって表される機能性のうちのいくつかまたはすべては、（例えば、適当なコードの実行によって、および／またはプロセッサコンポーネントの適当な構成によって）装置８０６の（１つまたは複数の）プロセッサおよびメモリコンポーネントによって、インプリメントされ得る。
【００８０】
[0091]  ここで参照されるアクセスポイントのうちのいくつかは、低電力アクセスポイントを備え得る。典型的なネットワークでは、低電力アクセスポイント（例えば、フェムトセル）は、従来のネットワークアクセスポイント（例えば、マクロアクセスポイント）を補完するために展開されている。例えば、ユーザの住宅または企業環境（例えば、商業ビル）にインストールされている低電力アクセスポイントは、セルラ無線通信（例えば、ＣＤＭＡ、ＷＣＤＭＡ（登録商標）、ＵＭＴＳ、ＬＴＥ等）をサポートするアクセス端末に、音声および高速データサービスを提供し得る。一般に、これらの低電力アクセスポイントは、低電力アクセスポイントの近くのアクセス端末に、よりロバストなカバレッジおよびより高いスループットを提供する。
【００８１】
[0092]  ここで使用される場合、低電力アクセスポイントという用語は、カバレッジエリアにおけるいかなるマクロアクセスポイントの送信電力（例えば、最大送信電力、瞬間送信電力、名目送信電力、平均送信電力、または何らかの他の形態の送信電力のうちの１つまたは複数）より小さい送信電力（例えば、上で定義されたような）を有するアクセスポイントを指す。いくつかのインプリメンテーションでは、各低電力アクセスポイントは、相対的なマージン分（by a relative margin）（例えば、１０ｄＢｍ以上）、マクロアクセスポイントの送信電力（例えば、上で定義されたような）より小さい送信電力（例えば、上で定義されたような）を有する。いくつかのインプリメンテーションでは、フェムトセルのような低電力アクセスポイントは、２０ｄＢｍ以下の最大送信電力を有し得る。いくつかのインプリメンテーションでは、ピコセルのような低電力アクセスポイントは、２４ｄＢｍ以下の最大送信電力を有し得る。しかしながら、これらのまたは他のタイプの低電力アクセスポイントは、他のインプリメンテーションでは、より高いまたはより低い最大送信電力（例えば、一部のケースでは１ワットまで、一部のケースでは１０ワットまで、等の）を有し得ることは認識されるべきである。
【００８２】
[0093]  典型的には、低電力アクセスポイントは、モバイルオペレータのネットワークにバックホールリンクを提供するブロードバンド接続（例えば、デジタル加入者回線（ＤＳＬ）ルータ、ケーブルモデム、または何らかの他のタイプのモデム）を介してインターネットに接続する。したがって、ユーザの住宅またはビジネスにおいて展開される低電力アクセスポイントは、ブロードバンド接続を介して１つまたは複数のデバイスにモバイルネットワークアクセスを提供する。
【００８３】
[0094]  様々なタイプの低電力アクセスポイントが、所与のシステムにおいて用いられ得る。例えば、低電力アクセスポイントは、フェムトセル、フェムトアクセスポイント、スモールセル、フェムトノード、ホームノードＢ（ＨＮＢ）、ホームｅノードＢ（ＨｅＮＢ）、アクセスポイント基地局、ピコセル、ピコノード、またはマイクロセルとしてインプリメントされ得るまたはそのように称され得る。
【００８４】
[0095]  便宜上、低電力アクセスポイントは、続く説明では単にスモールセルと称され得る。したがって、本明細書においてスモールセルに関係するいかなる説明も、一般に低電力アクセスポイントに（例えば、フェムトセルに、マイクロセルに、ピコセルに、等）等しく適用可能であり得ることは認識されるべきである。
【００８５】
[0096]  スモールセルは、異なるタイプのアクセスモードをサポートするように構成され得る。例えば、オープンなアクセスモードでは、スモールセルは、いかなるアクセス端末が、そのスモールセルを介していかなるタイプのサービスを取得することも、可能にし得る。制限された（クローズド）アクセスモードでは、スモールセルは、権限を与えられた（authorized）アクセス端末にのみ、そのスモールセルを介してサービスを取得することを、可能にし得る。例えば、スモールセルは、ある特定の加入者グループ（例えば、クローズド加入者グループ（ＣＳＧ））に属するアクセス端末（例えば、いわゆるホームアクセス端末）にのみ、そのスモールセルを介してサービスを取得することを、可能にし得る。ハイブリッドアクセスモードでは、部外の（alien）アクセス端末（例えば、非ホームアクセス端末、非ＣＳＧアクセス端末）は、そのスモールセルへの限定されたアクセスを与えられ得る。例えば、スモールセルのＣＳＧに属さないマクロアクセス端末は、現在そのスモールセルによってサービス提供されているすべてのホームアクセス端末のために十分なリソースが利用可能である場合にのみ、そのスモールセルにアクセスすることを可能にされ得る。
【００８６】
[0097]  したがって、これらのアクセスモードのうちの１つまたは複数で動作しているスモールセルは、屋内カバレッジおよび／または拡張された屋外カバレッジを提供するために使用され得る。動作の所望のアクセスモードの採用（adoption）を通してユーザへのアクセスを可能にすることによって、スモールセルは、カバレッジエリア内の改善されたサービスを提供し得る、およびマクロネットワークのユーザのためにサービスカバレッジエリアを潜在的に拡張し得る。
【００８７】
[0098]  したがって、いくつかの態様では、本明細書における教示は、マクロスケールのカバレッジ（例えば、典型的にマクロセルネットワークまたはＷＡＮと称される第３世代（３Ｇ）ネットワークのような広いエリアのセルラネットワーク）、およびより小さいスケールのカバレッジ（例えば、典型的にＬＡＮと称される住居ベースのまたは建物ベースのネットワーク環境）を含むネットワークにおいて用いられ得る。アクセス端末（ＡＴ）がそのようなネットワーク中を移動するとき、アクセス端末は、ある特定の位置では、マクロカバレッジを提供するアクセスポイントによってサービス提供され得、一方アクセス端末は、他の位置では、より小さいスケールのカバレッジを提供するアクセスポイントによってサービス提供され得る。いくつかの態様では、より小さいカバレッジのノードは、インクリメンタルな容量の増大（incremental capacity growth）、建物内のカバレッジ、および異なる複数のサービス（例えば、よりロバストなユーザエクスペリエンスのための）を提供するために使用され得る。
【００８８】
[0099]  本明細書における説明では、比較的広いエリアにわたるカバレッジを提供するノード（例えば、アクセスポイント）は、マクロアクセスポイントと称され得、一方、比較的狭いエリア（例えば、住居）にわたるカバレッジを提供するノードは、スモールセルと称され得る。本明細書における教示は、他のタイプのカバレッジエリアに関連するノードに適用可能であり得ることは認識されるべきである。例えば、ピコアクセスポイントは、マクロエリアよりは狭くフェムトセルエリアよりは広いエリアにわたるカバレッジ（例えば、商業ビル内のカバレッジ）を提供し得る。様々なアプリケーションにおいて、他の用語が、マクロアクセスポイント、スモールセル、または他のアクセスポイントタイプのノードを指すために使用され得る。例えば、マクロアクセスポイントは、アクセスノード、基地局、アクセスポイント、ｅノードＢ、マクロセル等と称され得るかまたはそのように構成され得る。いくつかのインプリメンテーションでは、ノードは、１つまたは複数のセルまたはセクタに関連し得る（例えば、そのように称され得るまたはそれらに分割され得る）。マクロアクセスポイント、フェムトアクセスポイント、またはピコアクセスポイントに関連するセルまたはセクタは、マクロセル、フェムトセル、またはピコセルとそれぞれと称され得る。
【００８９】
[00100]  図９は、アクセス端末が、アンライセンス周波数スペクトルにおいてスタンドアロンモードで動作しているとき、アクセス端末が、アクセスポイントを発見するおよび／またはアクセスポイントと同期することを可能にするように動作するそれぞれのサブフレームコンポーネントを有する、１つまたは複数のアクセス端末およびアクセスポイントを含む、いくつかのユーザをサポートするように構成されるワイヤレス通信システム９００を例示する。システム９００は、サブフレームコンポーネント４６０（図４）を含むネットワークエンティティ４０４に対応し得る、対応するアクセスポイント９０４（例えば、アクセスポイント９０４Ａ〜９０４Ｇ）によって、各セルがサービス提供される状態で、例えばマクロセル９０２Ａ〜９０２Ｇのような複数のセル９０２に、通信を提供する。図９に示されるように、サブフレームコンポーネント４２０（図４）を含むＵＥ４０２に対応し得るアクセス端末９０６（例えば、アクセス端末９０６Ａ〜９０６Ｌ）は、時間にわたってシステム中の様々な位置に分散（dispersed at）され得る。各アクセス端末９０６は、例えば、アクセス端末９０６がアクティブであるかどうか、およびそれがソフトハンドオフ状態にある（in soft handoff）かどうかに応じて、所与の瞬間に、フォワードリンク（ＦＬ）および／またはリバースリンク（ＲＬ）上で、１つまたは複数のアクセスポイント９０４と通信し得る。ワイヤレス通信システム９００は、広い地理的な領域にわたってサービスを提供し得る。例えば、マクロセル９０２Ａ〜９０２Ｇは、田舎の環境における数マイル（several miles）または近隣の数ブロック（a few blocks）をカバーし得る。
【００９０】
[00101]  図１０は、１つまたは複数のスモールセルがネットワーク環境内で展開される通信システム１０００の例を例示する。具体的には、システム１０００は、比較的小さいスケールのネットワーク環境に（例えば、１つまたは複数のユーザ住居１０３０に）インストールされた、サブフレームコンポーネント４６０（図４）を含むネットワークエンティティ４０４に対応し得る、複数のスモールセル１０１０（例えば、スモールセル１０１０Ａおよび１０１０Ｂ）を含む。各スモールセル１０１０は、ＤＳＬルータ、ケーブルモデム、ワイヤレスリンク、または他の接続性手段（connectivity means）（示されていない）を介して、モバイルオペレータコアネットワーク１０５０およびワイドエリアネットワーク１０４０（例えば、インターネット）に結合され得る。以下に説明されることになるように、各スモールセル１０１０は、関連するアクセス端末１０２０（例えば、アクセス端末１０２０Ａ）、およびオプションとして他の（例えば、ハイブリッドまたは部外の）アクセス端末１０２０（例えば、アクセス端末１０２０Ｂ）にサービス提供するように構成され得、ここで、各アクセス端末は、サブフレームコンポーネント４２０（図４）を含むネットワークＵＥ４０２に対応し得る。言い換えれば、スモールセル１０１０へのアクセスは制限され得、それにより所与のアクセス端末１０２０は、（１つまたは複数の）指定された（例えば、ホーム）スモールセル１０１０のセットによってはサービス提供され得るが、いかなる指定されていないスモールセル１０１０（例えば、近隣のスモールセル（a neighbor’s small cell）１０１０）によってもサービス提供されない可能性がある。
【００９１】
[00102]  図１１は、いくつかのトラッキングエリア１１０２（ルーティングエリアまたは位置エリア）が定義され、それらの各々がいくつかのマクロカバレッジエリア１１０４を含む、カバレッジマップ１１００の例を例示する。ここで、トラッキングエリア１１０２Ａ、１１０２Ｂ、および１１０２Ｃに関連するカバレッジのエリアは、幅広線（the wide lines）で描かれ、マクロカバレッジエリア１１０４は、より大きな六角形によって表される。トラッキングエリア１１０２はまた、フェムトカバレッジエリア１１０６を含む。この例では、フェムトカバレッジエリア１１０６（例えば、フェムトカバレッジエリア１１０６Ｂおよび１１０６Ｃ）の各々は、１つまたは複数のマクロカバレッジエリア１１０４（例えば、マクロカバレッジエリア１１０４Ａおよび１１０４Ｂ）内に表される。しかしながら、フェムトカバレッジエリア１１０６のうちのいくつかまたはすべては、マクロカバレッジエリア１１０４内にはない可能性があることは認識されるべきである。実際には、多数のフェムトカバレッジエリア１１０６（例えば、フェムトカバレッジエリア１１０６Ａおよび１１０６Ｄ）が、所与のトラッキングエリア１１０２またはマクロカバレッジエリア１１０４内に定義され得る。また、１つまたは複数のピコカバレッジエリア（示されていない）が、所与のトラッキングエリア１１０２またはマクロカバレッジエリア１１０４内に定義され得る。
【００９２】
[00103]  図１０を再び参照すると、スモールセル１０１０のオーナーは、例えば、モバイルオペレータコアネットワーク１０５０を通して提供（offered）される、３Ｇモバイルサービスのようなモバイルサービスに加入し得る。加えて、アクセス端末１０２０は、マクロ環境およびより小さいスケールの（例えば、住居の）ネットワーク環境の両方において動作することが可能であり得る。言い換えれば、アクセス端末１０２０の現在の位置に応じて、アクセス端末１０２０は、モバイルオペレータコアネットワーク１０５０に関連するマクロセルアクセスポイント１０６０によって、またはスモールセル１０１０（例えば、対応するユーザ住居１０３０内に存在（reside within）するスモールセル１０１０Ａおよび１０１０Ｂ）のセットのうちの任意の１つによって、サービス提供され得る。例えば、加入者がその人の自宅の外にいるとき、その人は標準のマクロアクセスポイント（a standard macro access point）（例えば、アクセスポイント１０６０）によってサービス提供され、加入者が自宅にいるとき、その人はスモールセル（例えば、スモールセル１０１０Ａ）によってサービス提供される。ここで、スモールセル１０１０は、レガシーアクセス端末１０２０と下位互換性があり得る。
【００９３】
[00104]  スモールセル１０１０は、単一周波数において、または別の方法では、複数の周波数において、展開され得る。特定の構成に応じて、単一周波数、または複数の周波数のうちの１つまたは複数は、マクロアクセスポイント（例えば、アクセスポイント１０６０）によって使用される１つまたは複数の周波数とオーバーラップし得る。
【００９４】
[00105]  いくつかの態様では、アクセス端末１０２０は、そのような接続性が可能（possible）であるときはいつでも、好ましいスモールセル（例えば、アクセス端末１０２０のホームスモールセル）に接続するように構成され得る。例えば、アクセス端末１０２０Ａがユーザの住居１０３０内にあるときはいつでも、アクセス端末１０２０Ａは、ホームスモールセル１０１０Ａまたは１０１０Ｂのみと通信することが望ましい可能性がある。
【００９５】
[00106]  いくつかの態様では、アクセス端末１０２０がマクロセルラネットワーク１０５０内で動作するが、それの最も好ましいネットワーク（例えば、好ましいローミングリスト（roaming list）に定義されるような）に存在しない場合、アクセス端末１０２０は、より良いシステムの再選択（ＢＳＲ：better system reselection）プロシージャを使用して、最も好ましいネットワーク（例えば、好ましいスモールセル１０１０）を検索することを続け得、それは、より良いシステムが現在利用可能であるかどうか決定し、そして続いてそのような好ましいシステムを獲得するために、利用可能なシステムの周期的なスキャンに関わり得る。アクセス端末１０２０は、特定のバンドおよびチャネルに関する検索を限定し得る。例えば、１つまたは複数のフェムトチャネルが定義され得、それにより、ある領域におけるすべてのスモールセル（またはすべての制限されたスモールセル）は、それら（１つまたは複数の）フェムトチャネル上で動作する。最も好ましいシステムに関する検索は、周期的に繰り返され得る。好ましいスモールセル１０１０を発見すると、アクセス端末１０２０は、そのスモールセル１０１０を選択し、それのカバレッジエリア内にいるときに使用するために、それに登録（registers on it）する。
【００９６】
[00107]  スモールセルへのアクセスは、いくつかの態様では、制限され得る。例えば、所与のスモールセルは、ある特定のサービスをある特定のアクセス端末にのみ提供し得る。いわゆる制限された（またはクローズド）アクセスを用いた展開においては、所与のアクセス端末は、マクロセルモバイルネットワークおよび定義されたスモールセルのセット（例えば、対応するユーザ住居１０３０内に存在するスモールセル１０１０）によってのみサービス提供され得る。いくつかのインプリメンテーションでは、アクセスポイントは、少なくとも１つのノード（例えば、アクセス端末）に関して、シグナリング、データアクセス、登録、呼出しまたはサービスのうちの少なくとも１つを提供しないよう制限され得る。
【００９７】
[00108]  いくつかの態様では、制限されたスモールセル（それはまた、クローズド加入者グループホームノードＢとも称され得る）は、制限されたプロビジョン（provisioned）されたアクセス端末のセットに、サービスを提供するものである。このセットは、一時的にまたは永久に、必要に応じて拡張され得る。いくつかの態様では、クローズド加入者グループ（ＣＳＧ）は、アクセス端末の共通のアクセス制御リストを共有するアクセスポイント（例えば、スモールセル）のセットとして定義され得る。
【００９８】
[00109]  様々な関係が、このように所与のスモールセルと所与のアクセス端末との間に存在（exist）し得る。例えば、アクセス端末の観点からは、オープンスモールセルは、無制限のアクセスを有するスモールセルを指し得る（例えば、そのスモールセルはいずれのアクセス端末へもアクセスを可能にし得る）。制限されたスモールセルは、何らかの方法で制限された（例えば、アクセスおよび／または登録に関して制限された）スモールセルを指し得る。ホームスモールセルは、アクセス端末がそこで動作するおよびアクセスする権限を与えられた（例えば、常時アクセス（permanent access）が１つまたは複数のアクセス端末の定義されたセットに提供される）スモールセルを指し得る。ハイブリッド（またはゲスト）スモールセルは、異なるアクセス端末がそこで異なるレベルのサービスを提供される（例えば、あるアクセス端末が部分的なおよび／または一時的なアクセスを可能にされ得、一方、他のアクセス端末がフルアクセスを可能にされ得る）スモールセルを指し得る。部外のスモールセルは、おそらく緊急の状況（例えば、緊急−９１１呼出し）を除いて、アクセス端末がそこで動作するまたはアクセスする権限を与えられないスモールセルを指し得る。
【００９９】
[00110]  制限されたスモールセルの観点からは、ホームアクセス端末は、そのアクセス端末のオーナーの住居にインストールされた制限されたスモールセルにアクセスする権限を与えられたアクセス端末を指し得る（通常、ホームアクセス端末は、そのスモールセルへの常時アクセスを有する）。ゲストアクセス端末は、（例えば、期限、使用時間、バイト、接続カウント（connection count）、または何らかの他の１つまたは複数の基準（criterion or criteria）に基づいて、限定された）制限されたスモールセルへの一時的なアクセスを有するアクセス端末を指し得る。部外のアクセス端末は、おそらく、例えば９１１呼出しのような緊急の状況を除いて、制限されたスモールセルにアクセスするための許可を得ていないアクセス端末（例えば、制限されたスモールセルに登録するための資格を有さないまたは許可を得ていない（does not have the credentials or permission）アクセス端末）を指し得る。
【０１００】
[00111]  便宜上、ここにおける開示は、スモールセルの文脈において様々な機能性を説明している。しかしながら、ピコアクセスポイントは、より大きなカバレッジエリアに、同じまたは同様の機能性を提供し得ることは認識されるべきである。例えば、ピコアクセスポイントは制限され得、ホームピコアクセスポイントが所与のアクセス端末等に関して定義され得る、等である。
【０１０１】
[00112]  本明細書における教示は、複数のワイヤレスアクセス端末のための通信を同時にサポートするワイヤレス多元接続通信システムにおいて用いられ得る。ここで、各端末は、フォワードおよびリバースリンク上での送信を介して１つまたは複数のアクセスポイントと通信し得る。フォワードリンク（またはダウンリンク）は、アクセスポイントから端末への通信リンクを指し、リバースリンク（またはアップリンク）は、端末からアクセスポイントへの通信リンクを指す。この通信リンクは、単一入力単一出力システム、多入力多出力（ＭＩＭＯ）システム、または何らかの他のタイプのシステムを介して確立され得る。
【０１０２】
[00113]  ＭＩＭＯシステムは、データ送信のために複数の（ＮＴ個の）送信アンテナと複数の（ＮＲ個の）受信アンテナを用いる。ＮＴ個の送信およびＮＲ個の受信アンテナによって形成されるＭＩＭＯチャネルは、空間チャネルとも呼ばれるＮＳ個の独立チャネルに分解され得、ここでＮＳ≦ｍｉｎ｛ＮＴ，ＮＲ｝である。ＮＳ個の独立チャネルの各々は、１つの次元（dimension）に対応する。ＭＩＭＯシステムは、複数の送信および受信アンテナによって作り出される追加的な次元性（dimensionalities）が利用される場合、改善されたパフォーマンス（例えば、より高いスループットおよび／またはより優れた信頼性）を提供し得る。
【０１０３】
[00114]  ＭＩＭＯシステムは、時分割複信（ＴＤＤ）および周波数分割複信（ＦＤＤ）をサポートし得る。ＴＤＤシステムでは、相互依存原理（the reciprocity principle）がリバースリンクチャネルからのフォワードリンクチャネルの推定を可能にするよう、フォワードおよびリバースリンク送信は、同じ周波数領域上にある。これにより、アクセスポイントにおいて複数のアンテナが利用可能であるとき、アクセスポイントがフォワードリンク上で送信ビームフォーミング利得を抽出することが可能になる。
【０１０４】
[00115]  図１２は、ここに説明されたように適応され得るサンプルの通信システム１２００の、サブフレームコンポーネント４６０（図４）を含むネットワークエンティティ４０４に対応し得るワイヤレスデバイス１２１０、およびサブフレームコンポーネント４２０（図４）を含むＵＥ４０２に対応し得るワイヤレスデバイス１２５０（例えば、ＵＥ）のコンポーネントを、より詳細に例示する。デバイス１２１０において、いくつかのデータストリームに関するトラフィックデータが、データソース１２１２から送信（ＴＸ）データプロセッサ１２１４に提供される。各データストリームは次いで、それぞれの送信アンテナを介して送信され得る。
【０１０５】
[00116]  ＴＸデータプロセッサ１２１４は、コード化されたデータを提供するために、各データストリームに関するトラフィックデータを、そのデータストリームのために選択された特定のコーディングスキームに基づいて、フォーマット化、コード化、およびインタリーブする。各データストリームに関するコード化されたデータは、ＯＦＤＭ技法を使用してパイロットデータと多重化（multiplexed with）され得る。パイロットデータは、典型的に、既知の方法で処理される既知のデータパターンであり、チャネル応答を推定するために受信機システムにおいて使用され得る。各データストリームに関する多重化されたパイロットおよびコード化されたデータは次いで、変調シンボルを提供するために、そのデータストリームのために選択された特定の変調スキーム（例えば、ＢＰＳＫ、ＱＳＰＫ、Ｍ−ＰＳＫ、またはＭ−ＱＡＭ）に基づいて変調される（すなわち、シンボルマッピングされる）。各データストリームに関するデータレート、コーディングおよび変調は、プロセッサ４８２によって実行される命令によって決定され得る。データメモリ４８４は、プロセッサ４８２またはデバイス１２１０の他のコンポーネントによって使用されるプログラムコード、データ、および他の情報を記憶し得る。
【０１０６】
[00117]  すべてのデータストリームに関する変調シンボルは次いで、ＴＸ  ＭＩＭＯプロセッサ１２２０に提供され、それはさらに（例えば、ＯＦＤＭに関する）変調シンボルを処理し得る。ＴＸ  ＭＩＭＯプロセッサ１２２０は次いで、ＮＴ個の変調シンボルストリームをＮＴ個のトランシーバ（ＸＣＶＲ）１２２２Ａ〜１２２２Ｔに提供する。いくつかの態様では、ＴＸ  ＭＩＭＯプロセッサ１２２０は、ビームフォーミング重みをデータストリームのシンボルに、およびシンボルが送信されるアンテナに、適用する。
【０１０７】
[00118]  各トランシーバ１２２２は、１つまたは複数のアナログ信号を提供するために、それぞれのシンボルストリームを受信および処理し、さらに、ＭＩＭＯチャネル上での送信に適した変調信号を提供するために、アナログ信号を調整（例えば、増幅、フィルタ、およびアップコンバート）する。トランシーバ１２２２Ａ〜１２２２ＴからのＮＴ個の変調信号は次いで、ＮＴ個のアンテナ１２２４Ａ〜１２２４Ｔからそれぞれ送信される。
【０１０８】
[00119]  デバイス１２５０において、送信された変調信号は、ＮＲ個のアンテナ１２５２Ａ〜１２５２Ｒによって受信され、各アンテナ１２５２からの受信信号は、それぞれのトランシーバ（ＸＣＶＲ）１２５４Ａ〜１２５４Ｒに提供される。各トランシーバ１２５４は、それぞれの受信信号を調整（例えば、フィルタ、増幅、およびダウンコンバート）し、サンプルを提供するためにそれら調整された信号をデジタル化し、さらにサンプルを処理して、対応する「受信された」シンボルストリームを提供する。
【０１０９】
[00120]  受信（ＲＸ）データプロセッサ１２６０は次いで、ＮＴ個の「検出された」シンボルストリームを提供するために、特定の受信機処理技法（receiver processing technique）に基づいて、ＮＲ個のトランシーバ１２５４からのＮＲ個の受信されたシンボルストリームを、受信および処理する。ＲＸデータプロセッサ１２６０は次いで、データストリームに関するトラフィックデータを回復するために、各検出されたシンボルストリームを復調、デインタリーブ、および復号する。ＲＸデータプロセッサ１２６０による処理は、デバイス１２１０においてＴＸデータプロセッサ１２１４およびＴＸ  ＭＩＭＯプロセッサ１２２０によって実施されるものと相互補完的である。
【０１１０】
[00121]  プロセッサ４５６は、（以下に説明される）どのプリコーディング行列を使用するかを周期的に決定する。プロセッサ４５６は、マトリックスインデックス部分およびランク値部分を備えるリバースリンクメッセージを公式化（formulates）する。データメモリ４５８は、プロセッサ４５６またはデバイス１２５０の他のコンポーネントによって使用されるプログラムコード、データ、および他の情報を記憶し得る。
【０１１１】
[00122]  リバースリンクメッセージは、受信されたデータストリームおよび／または通信リンクに関する様々なタイプの情報を備え得る。リバースリンクメッセージは次いで、データソース１２３６からいくつかのデータストリームに関するトラフィックデータの受信もするＴＸデータプロセッサ１２３８によって処理され、変調機１２８０によって変調され、トランシーバ１２５４Ａ〜１２５４Ｒによって調整され、そしてデバイス１２１０に送信し返される。
【０１１２】
[00123]  デバイス１２１０において、デバイス１２５０からの変調信号は、アンテナ１２２４によって受信され、トランシーバ１２２２によって調整され、復調機（ＤＥＭＯＤ）１２４０によって復調され、ＲＸデータプロセッサ１２４２によって処理されて、デバイス１２５０によって送信されたリバースリンクメッセージを抽出する。プロセッサ４８２は次いで、ビームフォーミング重みを決定するためにどのプリコーディング行列を使用するかを決定し、次いでその抽出されたメッセージを処理する。
【０１１３】
[00124]  各デバイス１２１０および１２５０に関し、説明されたコンポーネントの２つ以上の機能性が、単一のコンポーネントによって提供され得ることは認識されることになる。図１２に例示されおよび上述された様々な通信コンポーネントは、ここに教示された通信適応を実施するように必要に応じてさらに構成され得ることもまた認識されることとなる。例えば、プロセッサ４８２／４５６は、ここに教示された通信適応を実施するために、メモリ４８４／４５８および／またはそれぞれのデバイス１２１０／１２５０の他のコンポーネントと協力し得る。
【０１１４】
[00125]  いくつかの態様では、装置または装置の任意のコンポーネントは、ここに教示された機能性を提供するように構成され得る（または動作可能であり得るまたは適応され得る）。これは、例えば、装置またはコンポーネントを、それが機能性を提供することになるように製造する（manufacturing）（例えば、作る（fabricating））ことによって、装置またはコンポーネントを、それが機能性を提供することになるようにプログラミングすることによって、または何らかの他の適切なインプリメンテーション技法の使用を通して、達成され得る。１つの例として、集積回路は、必須の機能性を提供するように作られ得る。別の例として、集積回路は、必須の機能性をサポートするように作られ、そして必須の機能性を提供するように構成（例えば、プログラミングを介して）され得る。さらに別の例として、プロセッサ回路は、必須の機能性を提供するためのコードを実行し得る。
【０１１５】
[00126]  例えば、「第１の」、「第２の」等のような指定（designation）を用いた本明細書における要素へのいかなる言及も、一般にこれら要素の数量または順序を限定しないことは理解されるべきである。むしろ、これらの指定は、２つ以上の要素またはある要素の事例間での区別の便利な方法として本明細書で使用され得る。したがって、第１の要素および第２の要素への言及は、そこで２つ要素のみが用いられ得ることも、何らかの意味で第１の要素が第２の要素に先行しなければならないことも、意味していない。また、特にそうでないことが述べられていない限り、要素のセットは、１つまたは複数の要素を備え得る。加えて、説明または特許請求の範囲において使用される「Ａ、Ｂ、またはＣのうちの少なくとも１つ」あるいは「Ａ、Ｂ、またはＣのうちの１つまたは複数」あるいは「Ａ、Ｂ、およびＣからなるグループのうちの少なくとも１つ」という形式の用語は、「ＡまたはＢまたはＣまたはこれらの要素の任意の組合せ」を意味する。例えば、この用語は、Ａ、または、Ｂ、または、Ｃ、あるいは、ＡおよびＢ、または、ＡおよびＣ、あるいは、ＡおよびＢおよびＣ、あるいは、２Ａ、または、２Ｂ、または、２Ｃ等を含み得る。
【０１１６】
[00127]  当業者は、情報および信号は、多様な異なる技術および技法のいずれを使用しても表され得ることを認識することになる。例えば、上の説明を通して言及された可能性のあるデータ、命令、コマンド、情報、信号、ビット、シンボルおよびチップは、電圧、電流、電磁波、磁場または磁性粒子、光場または光粒子、あるいはそれらのいかなる組合せによっても表され得る。
【０１１７】
[00128]  さらに、当業者は、ここに開示された態様に関連して説明された様々な例示的な論理ブロック、モジュール、回路、アルゴリズムステップは、電子ハードウェア、コンピュータソフトウェア、またはその両方の組合せとしてインプリメントされ得ることを認識するだろう。ハードウェアおよびソフトウェアのこの互換性を明確に例示するために、様々な例示的なコンポーネント、ブロック、モジュール、回路、およびステップが、一般にそれらの機能性の観点から上に説明されている。そのような機能性が、ハードウェアとしてインプリメントされるかまたはソフトウェアとしてインプリメントされるかは、特定のアプリケーションおよびシステム全体に課せられる設計制約に依存する。当業者は、説明された機能性を特定のアプリケーションごとに様々な方法でインプリメントし得るが、そのようなインプリメンテーションの決定（decisions）は、本開示の範囲からの逸脱を生じさせるものとして解釈されるべきではない。
【０１１８】
[00129]  ここに開示された態様に関連して説明された方法、シーケンスおよび／またはアルゴリズムは、直接的にハードウェアにおいて、プロセッサによって実行されるソフトウェアモジュールにおいて、またはそれら２つの組合せにおいて、具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術で既知の任意の他の形態の記憶媒体内に存在し得る。例示的な記憶媒体は、プロセッサが記憶媒体から情報を読み出すことができるように、および記憶媒体へ情報を書き込むことができるように、プロセッサに結合されている。別の方法では、記憶媒体はプロセッサに統合され得る。
【０１１９】
[00130]  したがって、本開示の一態様は、アンライセンス周波数バンドにおける通信のための第１の構成に少なくとも部分的に基づいて、トラフィックに関してフレーム持続時間におけるサブフレームの第１のセットをスケジューリングすることと、第１の構成に少なくとも部分的に基づいて、アンライセンス周波数バンドのプライマリユーザの検出（例えば、レーダー検出）に関してフレーム持続時間におけるサブフレームの第２のセットをスケジューリングすることと、通信のための第２の構成に基づいて、サブフレームの第１のおよび第２のセットにおけるいくつかのサブフレーム（a number of subframes）を調整することであって、ここにおいて、通信のための第２の構成は、検出されるプライマリユーザのタイプ（例えば、レーダータイプ）に基づいて特定される、調整することと、を行う方法を具現化するコンピュータ読み取り可能な媒体を含むことができる。したがって、本開示は、例示された例に限定されない。
【０１２０】
[00131]  前述の開示は例示的な態様を示すが、添付の特許請求の範囲によって定義される本開示の範囲から逸脱することなく、ここで様々な変更および修正が成されることができることに留意されたい。ここに説明された本開示の態様による方法の請求項の機能、ステップ、および／またはアクションは、特定の順序で実施される必要はない。さらに、ある特定の態様は、単数形で説明され得るまたは特許請求され得るが、単数形への限定が明記されていない限り、複数形が考慮されている。
【図１】
2020145736.tif 000003
【図２】
2020145736.tif 000004
【図３】
2020145736.tif 000005
【図４】
2020145736.tif 000006
【図５Ａ】
2020145736.tif 000007
【図５Ｂ】
2020145736.tif 000008
【図６】
2020145736.tif 000009
【図７】
2020145736.tif 000010
【図８】
2020145736.tif 000011
【図９】
2020145736.tif 000012
【図１０】
2020145736.tif 000013
【図１１】
2020145736.tif 000014
【図１２】
2020145736.tif 000015
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
ワイヤレス通信の間にタイミング情報を発見するための方法であって、
ユーザ装置（ＵＥ）において、ネットワークエンティティからの発見信号に関して、アンライセンス無線周波数スペクトルバンド上でモニタリングすることと、
前記ネットワークエンティティから、サブフレームの間に、前記発見信号を受信することと、
前記発見信号に基づいて、前記ネットワークエンティティの現在のサブフレーム位置を決定することと、ここにおいて、前記発見信号は、前記現在のサブフレーム位置に対応するタイミング情報を含む、
を備える、方法。
【手続補正２】
【補正対象書類名】明細書
【補正対象項目名】０１２０
【補正方法】変更
【補正の内容】
【０１２０】
[00131]  前述の開示は例示的な態様を示すが、添付の特許請求の範囲によって定義される本開示の範囲から逸脱することなく、ここで様々な変更および修正が成されることができることに留意されたい。ここに説明された本開示の態様による方法の請求項の機能、ステップ、および／またはアクションは、特定の順序で実施される必要はない。さらに、ある特定の態様は、単数形で説明され得るまたは特許請求され得るが、単数形への限定が明記されていない限り、複数形が考慮されている。
以下に本願の出願当初の特許請求の範囲に記載された発明を付記する。
［Ｃ１］
ワイヤレス通信の間にタイミング情報を発見するための方法であって、
ユーザ装置（ＵＥ）において、ネットワークエンティティからの発見信号に関して、アンライセンス無線周波数スペクトルバンド上でモニタリングすることと、
前記ネットワークエンティティから、サブフレームの間に、前記発見信号を受信することと、
前記発見信号に基づいて、前記ネットワークエンティティの現在のサブフレーム位置を決定することと、ここにおいて、前記発見信号は、前記現在のサブフレーム位置に対応するタイミング情報を含む、
を備える、方法。
［Ｃ２］
前記発見信号は、前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で受信される、Ｃ１に記載の方法。
［Ｃ３］
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、Ｃ２に記載の方法。
［Ｃ４］
前記ダウンリンク制御チャネルを復調することと、
前記ダウンリンク制御チャネルを復調することに応答して、前記サブフレーム内での前記ｅＳＩＢの位置を決定することと、
をさらに備える、Ｃ３に記載の方法。
［Ｃ５］
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、Ｃ２に記載の方法。
［Ｃ６］
前記発見信号は、プライマリ同期信号（ＰＳＳ）およびセカンダリ同期信号（ＳＳＳ）に対応する同期情報を含む、Ｃ１に記載の方法。
［Ｃ７］
前記ネットワークエンティティの前記現在のサブフレーム位置に基づいて、無線フレーム境界（ＲＦＢ）を決定することをさらに備える、Ｃ１に記載の方法。
［Ｃ８］
前記ネットワークエンティティの前記現在のサブフレーム位置に基づいて、発見ウィンドウおよび発見期間を決定することをさらに備える、Ｃ１に記載の方法。
［Ｃ９］
前記発見ウィンドウのサイズおよび前記発見期間のサイズは、事前構成される、Ｃ８に記載の方法。
［Ｃ１０］
前記発見信号は、前記発見ウィンドウの間に、非周期的な日和見的な信号として受信される、Ｃ８に記載の方法。
［Ｃ１１］
ワイヤレス通信の間にタイミング情報を発見するための装置であって、
データを記憶するように構成されるメモリと、
前記メモリと通信的に結合された１つまたは複数のプロセッサと、
を備え、ここにおいて、前記１つまたは複数のプロセッサおよび前記メモリは、
ユーザ装置（ＵＥ）において、ネットワークエンティティからの発見信号に関して、アンライセンス無線周波数スペクトルバンド上でモニタリングすることと、
前記ネットワークエンティティから、サブフレームの間に、前記発見信号を受信することと、
前記発見信号に基づいて、前記ネットワークエンティティの現在のサブフレーム位置を決定することと、ここにおいて、前記発見信号は、前記現在のサブフレーム位置に対応するタイミング情報を含む、
を行うように構成される、装置。
［Ｃ１２］
前記発見信号は、前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で受信される、Ｃ１１に記載の装置。
［Ｃ１３］
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、Ｃ１２に記載の装置。
［Ｃ１４］
前記１つまたは複数のプロセッサおよび前記メモリは、
前記ダウンリンク制御チャネルを復調することと、
前記ダウンリンク制御チャネルを復調することに応答して、前記サブフレーム内での前記ｅＳＩＢの位置を決定することと、
を行うようにさらに構成される、Ｃ１３に記載の装置。
［Ｃ１５］
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、Ｃ１２に記載の装置。
［Ｃ１６］
前記発見信号は、プライマリ同期信号（ＰＳＳ）およびセカンダリ同期信号（ＳＳＳ）に対応する同期情報を含む、Ｃ１１に記載の装置。
［Ｃ１７］
前記１つまたは複数のプロセッサおよび前記メモリは、前記ネットワークエンティティの前記現在のサブフレーム位置に基づいて、無線フレーム境界（ＲＦＢ）を決定するようにさらに構成される、Ｃ１１に記載の装置。
［Ｃ１８］
前記１つまたは複数のプロセッサおよび前記メモリは、前記ネットワークエンティティの前記現在のサブフレーム位置に基づいて、発見ウィンドウおよび発見期間を決定するように構成さらにされる、Ｃ１１に記載の装置。
［Ｃ１９］
前記発見ウィンドウのサイズおよび前記発見期間のサイズは、事前構成される、Ｃ１８に記載の装置。
［Ｃ２０］
前記発見信号は、前記発見ウィンドウの間に、非周期的な日和見的な信号として受信される、Ｃ１８に記載の装置。
［Ｃ２１］
ワイヤレス通信の間にタイミング情報を発見するための装置であって、
ユーザ装置（ＵＥ）において、ネットワークエンティティからの発見信号に関して、アンライセンス無線周波数スペクトルバンド上でモニタリングするための手段と、
前記ネットワークエンティティから、サブフレームの間に、前記発見信号を受信するための手段と、
前記発見信号に基づいて、前記ネットワークエンティティの現在のサブフレーム位置を決定するための手段と、ここにおいて、前記発見信号は、前記現在のサブフレーム位置に対応するタイミング情報を含む、
を備える、装置。
［Ｃ２２］
前記発見信号は、前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で受信される、Ｃ２１に記載の装置。
［Ｃ２３］
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、Ｃ２２に記載の装置。
［Ｃ２４］
前記ダウンリンク制御チャネルを復調するための手段と、
前記ダウンリンク制御チャネルを復調することに応答して、前記サブフレーム内での前記ｅＳＩＢの位置を決定するための手段と、
をさらに備える、Ｃ２３に記載の装置。
［Ｃ２５］
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、Ｃ２２に記載の装置。
［Ｃ２６］
ワイヤレス通信の間にタイミング情報を発見するためのコンピュータ実行可能なコードを記憶するコンピュータ読み取り可能な媒体であって、
ユーザ装置（ＵＥ）において、ネットワークエンティティからの発見信号に関して、アンライセンス無線周波数スペクトルバンド上でモニタリングするためのコードと、
前記ネットワークエンティティから、サブフレームの間に、前記発見信号を受信するためのコードと、
前記発見信号に基づいて、前記ネットワークエンティティの現在のサブフレーム位置を決定するためのコードと、ここにおいて、前記発見信号は、前記現在のサブフレーム位置に対応するタイミング情報を含む、
を備える、コンピュータ読み取り可能な媒体。
［Ｃ２７］
前記発見信号は、前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で受信される、Ｃ２６に記載のコンピュータ読み取り可能な媒体。
［Ｃ２８］
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、Ｃ２７に記載のコンピュータ読み取り可能な媒体。
［Ｃ２９］
前記ダウンリンク制御チャネルを復調するためのコードと、
前記ダウンリンク制御チャネルを復調することに応答して、前記サブフレーム内での前記ｅＳＩＢの位置を決定するためのコードと、
をさらに備える、Ｃ２８に記載のコンピュータ読み取り可能な媒体。
［Ｃ３０］
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、Ｃ２７に記載のコンピュータ読み取り可能な媒体。
【外国語明細書】
2020145736000001.pdf